(57)【特許請求の範囲】
【請求項１】
出隅キャンバス（Ｇ１）を巻き取ったり、巻き戻す巻取りローラ（Ｊ１，Ｊ２）に、展開した出隅キャンバス（Ｇ１）を横行スライド自在とするスライダー（１２）を嵌挿し、
前記出隅キャンバス（Ｇ１）のフロントバー（Ｆ１）を、折畳みアーム（Ｖ１，Ｖ２）により前後方向へ平行移動自在に支持すると共に、
前方へ展開した出隅キャンバス（Ｇ１）のフロントバー（Ｆ１）を横行移動自在に構成したことを特徴とする可動オーニング装置。
【請求項２】
スライダー（１２）を、巻取りローラ（Ｊ１，Ｊ２）の軸線方向に形成したスライド案内通路（１１２）に嵌挿してなる請求項１に記載の可動オーニング装置。
【請求項３】
巻取りローラ（Ｊ１，Ｊ２）に巻き取った出隅キャンバス（Ｇ１）を、巻き戻して展開した上で、当該出隅キャンバス（Ｇ１）のフロントバー（Ｆ１）をコーナー空間部へ向けて横行移動することにより、
出隅キャンバス（Ｇ１）の頂部（１）に固定したスライダー（１２）が、巻取りローラ（Ｊ１，Ｊ３）に沿って横行スライドし、前記コーナー空間部を含む建物外回りに出隅キャンバス（Ｇ１）を張り出してなる請求項１又は２に記載の可動オーニング装置。
【請求項４】
コーナー空間部へ張り出した出隅キャンバス（Ｇ１）とそのフロントバー（Ｆ１）を、その展開状態を維持したまま装置後方へ横行移動することにより、
出隅キャンバス（Ｇ１）の頂部（１）に固定したスライダー（１２）が、巻取りローラ（Ｊ１，Ｊ２）に沿って装置後方へ横行スライドし、その上で、巻取りローラ（Ｊ１〜Ｊ３）に巻き取るように構成してなる請求項１又は２に記載の可動オーニング装置。
【請求項５】
スライダー（１２）の中央突条部に、出隅キャンバス（Ｇ１）の頂部（１）を取り付けるキャンバス嵌合溝（１２１）を形成し、
スライダー（１２）の両側位置に張り出した翼板部（１２３）を、スライド案内通路（１１２）の側壁部に嵌挿してなる請求項２に記載の可動オーニング装置。
【請求項６】
スライダー（１２）の両側位置に、スリット溝（１２２）を備えた翼板部（１２３）を張り出し、
当該スリット溝（１２２）に適宜の間隔を隔てて小車輪（１２４）を回転自在に組み付け、
当該小車輪（１２４）を、スライド案内通路（１１２）の側壁部に形成したレール溝（１１３）に嵌め込んでなる請求項５に記載の可動オーニング装置。
【請求項７】
出隅キャンバス（Ｇ１）を、キャンバス本体部（Ｘ１）と、その一方に張り出したキャンバス張出部（Ｘ２）とからなる展開形態に形成し、
当該出隅キャンバス（Ｇ１）の頂部（1）をスライダー（１２）に取り付け、
そのキャンバス裾部（２）をフロントバー（Ｆ１）に取り付けてなる請求項１、３又は４に記載の可動オーニング装置。
【請求項８】
スライダー（１２）とフロントバー（Ｆ１）との間に、ワイヤ（１９３，１９４）やベルト等の連結部材を張り渡してなる請求項７に記載の可動オーニング装置。
【請求項９】
請求項１に記載のスライダー（１２）を、出隅キャンバス（Ｇ１）の頂部（１）に嵌め込んだスライドキャップ（１２ｂ）に置換してなる可動オーニング装置。
【請求項１０】
スライドキャップ（１２ｂ）を組み込んだ巻取りローラ（Ｊ６）の軸線方向に、スライド案内通路（１１４）を形成し、
当該案内通路（１１４）にスライドキャップ（１２ｂ）を嵌挿してなる請求項９に記載の可動オーニング装置。
【請求項１１】
出隅キャンバス（Ｇ１）を、キャンバス本体部（Ｘ１）と、その一方に張り出したキャンバス張出部（Ｘ２）とからなる展開形態に形成し、
当該出隅キャンバス（Ｇ１）の頂部（1）に嵌め込んだスライドキャップ（１２ｂ）と、出隅キャンバス（Ｇ１）の裾部（２）を取り付けたフロントバー（Ｆ１）との間に、ワイヤ（１９３，１９４）やベルト等の連結部材を張り渡してなる請求項９に記載の可動オーニング装置。
【請求項１２】
出隅キャンバス（Ｇ１）を巻き取ったり、巻き戻す巻取りローラ（Ｊ３〜Ｊ５）を、インナーローラ（４１）と、当該インナーローラ（４１）の軸線方向へスライド自在に嵌挿したアウターローラ（４２）とから形成し、
当該アウターローラ（４２）に出隅キャンバス（Ｇ１）の頂部（１）を取り付け、
そのキャンバス裾部（２）を出隅キャンバス（Ｇ１）のフロントバー（Ｆ１）に取り付け、
当該フロントバー（Ｆ１）を折畳みアーム（Ｖ１，Ｖ２）により前後方向へ平行移動自在に支持すると共に、
前方へ展開した出隅キャンバス（Ｇ１）のフロントバー（Ｆ１）を横行移動自在に構成したことを特徴とする可動オーニング装置。
【請求項１３】
出隅キャンバス（Ｇ１）と、
それをインナーローラ（４１）と、当該インナーローラ（４１）の軸線方向へスライド自在に嵌挿したアウターローラ（４２）に巻き取ったり、巻き戻す巻取りローラ（Ｊ３〜Ｊ５）と、
前記キャンバス（Ｇ１）の裾部（２）を支持するフロントバー（Ｆ１）と、
当該フロントバー（Ｆ１）を前後方向へ平行移動自在に支持すると共に、展開した出隅キャンバス（Ｇ１）のフロントバー（Ｆ１）を横行移動自在にリンク構成した折畳みアーム（Ｖ１，Ｖ２）とを備え、
前記アウターローラ（４２）に出隅キャンバス（Ｇ１）の頂部（１）を取り付けてなる可動オーニング装置。
【請求項１４】
巻取りローラ（Ｊ３〜Ｊ５）に巻き取った出隅キャンバス（Ｇ１）を、巻き戻して展開した上で、当該出隅キャンバス（Ｇ１）のフロントバー（Ｆ１）をコーナー空間部へ向けて横行移動することにより、
出隅キャンバス（Ｇ１）の頂部（１）に固定したアウターローラ（４２）が、インナーローラ（４１）に沿って横行スライドし、前記コーナー空間部を含む建物外回りに出隅キャンバス（Ｇ１）を張り出してなる請求項１２又は１３に記載の可動オーニング装置。
【請求項１５】
コーナー空間部へ張り出した出隅キャンバス（Ｇ１）とそのフロントバー（Ｆ１）を、展開状態を維持したまま装置後方へ横行移動することにより、
出隅キャンバス（Ｇ１）の頂部（１）に固定したアウターローラ（４１）が、インナーローラ（４１）に沿って装置後方へ横行スライドした上で、巻取りローラ（Ｊ３〜Ｊ５）に巻き取るように構成してなる請求項１２又は１３に記載の可動オーニング装置。
【請求項１６】
出隅キャンバス（Ｇ１）を、キャンバス本体部Ｘ１と、その一方に張り出したキャンバス張出部（Ｘ２）とからなる展開形態に形成し、
当該出隅キャンバス（Ｇ１）の頂部（1）をアウターローラ（４２）に取り付け、
そのキャンバス裾部（２）をフロントバー（Ｆ１）に取り付けてなる請求項１２又は１３に記載の可動オーニング装置。
【請求項１７】
アウターローラ（４２）とフロントバー（Ｆ１）との間に、ワイヤ（１９３，１９４）やベルト等の連結部材を張り渡してなる請求項１６に記載の可動オーニング装置。
【請求項１８】
インナーローラ（４１）の軸線方向に、案内溝（４１１）と案内突条（４１２）を形成してなる請求項１２又は１３に記載の可動オーニング装置。
【請求項１９】
アウターローラ（４２）にエンドキャップ（４７１，４７２）を嵌め込み、
当該エンドキャップ（４７１，４７２）の内周面には、請求項１８に記載の案内溝（４１１）や案内突条（４１２）に嵌挿する案内突起（４７３）や案内溝（４７４）を形成してなる請求項１２又は１３に記載の可動オーニング装置。
【請求項２０】
出隅キャンバス（Ｇ１）を巻き取り収納するケーシング（Ｋ１）に、エンドキャップ（１４１，１４２，１４６）を嵌め込み、
当該エンドキャップ（１４１，１４２，１４６）には、先後両端部にエンドキャップ（１５１，１５２，１５６）を嵌め込んだインナーローラ（４１）を軸受支持し、
当該インナーローラ（４１）には、先後両端部にエンドキャップ（４７１，４７２）を嵌め込んだアウターローラ（４２）を嵌挿支持してなる請求項１８又は１９に記載の可動オーニング装置。
【請求項２１】
インナーローラ（４１ｂ）の軸線方向に車輪案内溝（４１３）を形成し、
当該インナーローラ（４１ｂ）に嵌挿したアウターローラ（４２ａ）には、前記案内溝（４１３）を転動する車輪（７９）を組み込んでなる請求項１８に記載の可動オーニング装置。
【請求項２２】
アウターローラ（４２ａ）の内面に嵌合溝（４２２）を形成し、
当該嵌合溝（４２２）に車輪ユニット（Ｄ）を嵌め込み、
当該ユニット（Ｄ）に組み付けた車輪（７９）が、車輪案内溝（４１３）を転動するようにしてなる請求項２１に記載の可動オーニング装置。
【請求項２３】
請求項１、９、１２又は１３に記載の可動オーニング装置（Ｓ１ａ〜Ｓ１ｄ、Ｓ２ａ〜Ｓ２ｄ）の２体を、出隅部（Ｎ１）の一方と他方のコーナー位置に向かい合わせて取り付け、
それぞれの巻取りローラ（Ｊ１〜Ｊ６）とフロントバー（Ｆ１）に、出隅キャンバス（Ｇ１）の頂部（１）と裾部（２）を取り付けたことを特徴とする可動オーニング装置。
【請求項２４】
請求項１、９、１２又は１３に記載の可動オーニング装置（Ｓ１ａ〜Ｓ１ｄ、Ｓ２ａ〜Ｓ２ｄ）に、
矩形キャンバス（Ｐ１）を巻き取ったり、巻き戻す巻取りローラ（３０）と、当該矩形キャンバス（Ｐ１）の裾部（６）を取り付けるフロントバー（３１）と、当該フロントバー（３１）を平行移動するように支持した折畳みアーム（Ｖ３、Ｖ４）とからなる可動オーニング装置（Ｑ）を組み合わせるに、
出隅キャンバス（Ｇ１）の巻取りローラ（Ｊ１〜Ｊ６）の後半部位に、前記矩形キャンバス（Ｐ１）の巻取りローラ（３０）の前半部位を上下に間隔を隔てて重ね合わせたことを特徴とする可動オーニング装置。
【請求項２５】
一方の巻取りローラ（Ｊ１〜Ｊ６）に巻き取る出隅キャンバス（Ｇ１）を下巻きし、他方の巻取りローラ（３０）に矩形キャンバス（Ｐ１）を上巻きしてなる請求項２４に記載の可動オーニング装置。
【請求項２６】
一方の巻取りローラ（Ｊ１〜Ｊ７）に巻き取る出隅キャンバス（Ｇ１，Ｇ２）を上巻きし、他方の巻取りローラ（３０）に巻き取る矩形キャンバス（Ｐ１）を下巻きしてなる請求項２４に記載の可動オーニング装置。
【請求項２７】
出隅キャンバス（Ｇ１）の巻取りローラ（Ｊ１，Ｊ２、Ｊ６）に、ローラ本体（１１）の嵩上げ部材を取り付けてなる請求項１又は１０に記載の可動オーニング装置。
【請求項２８】
嵩上げ部材が、螺旋状の嵩上げリング（３３１）であって、巻取りローラ（Ｊ１，Ｊ２、Ｊ６）の中間付近からローラ先端部又は先後両端部へ向かうに連れて、そのリング外径を段階的に大きくしてなる請求項２７に記載の可動オーニング装置。
【請求項２９】
出隅キャンバス（Ｇ１）の斜部（３）に、嵩上げシート（３２）を取り付けてなる請求項１、９、１２又は１３に記載の可動オーニング装置。
【請求項３０】
スライダー（１２）を組み込んだ巻取りローラ（Ｊ１）の軸端部に、出隅キャンバス（Ｇ１）を巻き取ったり、巻き戻す手動装置又は電動装置を組み込んでなる請求項１に記載の可動オーニング装置。
【請求項３１】
スライダー（１２）を組み込んだ巻取りローラ（Ｊ２）の内部に、出隅キャンバス（Ｇ１）を巻き取ったり、巻き戻す電動モータ（Ｍ１）を組み込んでなる請求項１に記載の可動オーニング装置。
【請求項３２】
電動モータ（Ｍ１）の先後両端部に、モータ出力軸（２７１）と固定用軸部（２７２）を設け、
一方のモータ出力軸（２７１）に嵌め込んだ伝動ソケット（２８１）を、ローラ本体（１１）の内部に嵌め込み、
前記電動モータ（Ｍ１）の後方部を、ローラ本体（１１）のエンドキャップ（１５２）に嵌挿し、
他方の固定用軸部（２７２）を、出隅キャンバス（Ｇ１，Ｇ２）を巻き取り収納するケーシング（Ｋ１）のエンドキャップ（１４２）に嵌め込んでなる請求項３１に記載の可動オーニング装置。
【請求項３３】
インナーローラ（４１）の軸端部に、当該インナーローラ（４１）とアウターローラ（４２）を正逆回転する手動装置又は電動装置を組み込んでなる請求項１２又は１３に記載の可動オーニング装置。
【請求項３４】
インナーローラ（４１，４１ｂ）の内部に、当該インナーローラ（４１，４１ｂ）とアウターローラ（４２，４２ａ）を正逆回転する電動モータ（Ｍ１）を組み込んでなる請求項１２又は１３に記載の可動オーニング装置。
【請求項３５】
電動モータ（Ｍ１）の先後両端部に、モータ出力軸（２７１）と固定用軸部（２７２）を設け、
一方のモータ出力軸（２７１）に嵌め込んだ伝動ソケット（４８１）を、インナーローラ（４１）の内部に嵌め込み、
前記電動モータ（Ｍ１）の後方部をインナーローラ（４１）のエンドキャップ（４５２）に嵌挿し、
他方の固定用軸部（２７２）をケーシング（Ｋ１）のエンドキャップ（１４２）に嵌め込んでなる請求項３４に記載の可動オーニング装置。
【請求項３６】
フロントバー（Ｆ１）に、出隅キャンバス（Ｇ１）の横行操作用掛止部（２４１）を設けてなる請求項１、１２又は１３に記載の可動オーニング装置。
【請求項３７】
請求項１、１２又は１３に記載の折畳みアームが、後部リンク（２５１）と前部リンク（２５２）を二つ折れ自在に付勢支持してなるＶ字アーム（Ｖ１，V２）であって、
当該Ｖ字アーム（Ｖ１，Ｖ２）の開き具合が半開き状態の段階で、前方へ展開した出隅キャンバス（Ｇ１）のそれ以上の展開を規制することにより、当該出隅キャンバス（Ｇ１）のフロントバー（Ｆ１）をコーナー空間部へ向けて横行移動自在としてなる可動オーニング装置。
【請求項３８】
後部リンク（２５１）と前部リンク（２５２）に、その揺動角度を規制するストッパー（２０１，２０２）を設けてなる請求項３７に記載の可動オーニング装置。
【発明の詳細な説明】
【技術分野】
【０００１】
本発明は、出隅キャンバスの横行スライド構造を備えた可動オーニング装置に関し、各種建築物の出隅部のコーナー空間部を含む建物外回りを体裁良く覆うために使用される。
【背景技術】
【０００２】
従来、可動オーニング装置は、建物の壁際部分に軸受支持した巻取りローラに、通常、前方へ向かって前傾状態に展開する矩形状のキャンバスを、手動ハンドルや電動モータ等により巻き取ったり、巻き戻し、前記キャンバスの裾部を取り付けたフロントバーを、ほぼ水平方向へ折り畳み自在とする二つ折れアームやｙ字アーム等により緊張状態に展開支持し、その多くは、テラスや店舗外廻りの日除けや雨除けとして、或いは、建築物や店舗装飾の一環として施設している（例えば、下記の非特許文献１〜２参照。以下、前者という）。
【０００３】
他方、建築物の出隅部のコーナー空間部を覆うため、従来、次の（ａ）〜（ｄ）に示す構成を備えた可動オーニング装置が提案されている（例えば、下記の特許文献１参照。以下、後者という）。
（ａ）、コーナー端部の固定ブラケットに、装置全体を組み込むオーニング支持枠を斜め前方へ張り出して支持し、ほぼ直角三角形状キャンバスの長辺を電動モータにより巻き取ったり、巻き戻す巻取りローラの２体を、オーニング支持枠の先後両端部に軸受支持する。
（ｂ）、そして、拡開方向へ付勢した折畳みアームの基端部をベースパイプの中間付近に取り付け、その先端部のアームホルダーに三角形キャンバスの頂部を取り付ける。
（ｃ）、また、オーニング支持枠の先端部に化粧パネルを拡開自在に枢設し、当該化粧パネルの後方部の溝部に沿ってアームホルダーを摺動自在に支持する。
（ｄ）、更には、オーニング支持枠の先端寄りをワイヤロープで吊り上げて支持し、また、巻上げ機によりコーナー端部の後部上方へ引き上げて、装置全体を倒立状態に格納する。
【先行技術の文献情報リスト】
【０００４】
【特許文献１】
実公平４−４０３３６号公報
【特許文献２】
特開２００２−３５６９６９号公報
【非特許文献１】
「オーニング販売マニュアル」、日本オーニング協会、平成１６年（２００４）１月、p.９−１５
【非特許文献２】
「オーニング−日除け−日本オーニング協会−ＪＡＡ」[online]、日本オーニング協会、「２００４年８月１７日検索」、インターネット
＜URL:http://www.awning.org/index.html＞
【発明の開示】
【発明が解決しようとする課題】
【０００５】
前者のオーニング装置は、主に、建物外回りの直線区間を対象としており、出隅部のコーナー空間部を覆うことができない。そこを敢えて覆うとすれば、巻取りローラを出隅部からコーナー空間部へ食み出して取り付けることになる。
多くの場合、建築物における出隅部は、２方向の歩車道に面していたり、交差点に面しており、不特定多数人の目に触れる位置にあり、店舗として、また、広告宣伝効果に優れる等、営業上の好条件を兼ね備えている場所にある。
そのような目立つ場所に組み込まれるオーニング装置が、出隅部から食み出した状態のまま矩形キャンバスを巻取り収納せざるを得ないことでは、オーニング装置としての技術的な興趣や体裁性に欠ける。
【０００６】
他方、後者のオーニング装置は、コーナー空間部に展開した三角キャンバスを、出隅部のコーナー端部で片持ち支持している為、コーナー端部に張り出した固定ブラケットに装置全体の負荷が集中する。また、オーニング支持枠をワイヤロープで吊り上げている為、キャンバス展開時における装置全体の左右揺動を惹き起こし易く、特に、風による影響を受け易い不安定なものである。その上、装置全体をワイヤロープで吊り上げ、コーナー端部に引き上げて鉛直に倒立格納する為、ワイヤロープの劣化切断の事態を考慮したとき頭上落下が懸念される。また、倒立格納により、装置全体の裏側がコーナー端部の表面に露呈することになり、格納時の体裁性を損なう。
【０００７】
そこで、本発明者は、出隅部のコーナーキャンバス（以下、出隅キャンバスという）を巻き戻しながら斜め前方のコーナー空間部へ平行に押し出して展開したり、それとは逆に、展開した出隅キャンバスを巻き取りながら斜め後方へ平行に引き込んで巻き上げ収納することで、前記の技術課題に対処することのできる可動オーニング装置を提供した（下記の先行出願１参照）。
【０００８】
その後、前記した可動オーニング装置とは発想を転換し、壁際部分から手前側へ展開した出隅キャンバスを、前進移動させることで出隅部のコーナー空間部へ張り出したり、キャンバス収納時には後退移動した上で巻き上げ収納する、横行スライド構造を備えたシングルタイプと複合タイプの可動オーニング装置を提供した（下記の先行出願３・４参照）。
この先行出願３・４に開示した可動オーニング装置の内、シングルタイプの場合には、展開した出隅キャンバスの頂部を、巻取りローラの軸線方向へスライド自在に支持すると共に、当該出隅キャンバスのフロントバーを、折畳みアームにより平行移動する横行案内レールにスライド自在に構成している。
【先行出願のリスト】
【０００９】
１・・・ＰＣＴ／ＪＰ２００４／９７５１（０１．０７．２００４出願）
２・・・ＰＣＴ／ＪＰ２００５／４８４３（１０．０３．２００５出願）
３・・・ＰＣＴ／ＪＰ２００５／１８５９９（０３．１０．２００５出願）
４・・・ＰＣＴ／ＪＰ２００５／１８９９７（１１．１０．２００５出願）
【００１０】
本発明は、前記した先行出願３・４の場合と同様に、出隅キャンバスの頂部を巻取りローラに横行スライド自在としながら、当該出隅キャンバスのフロントバーそれ自体を、折畳みアームにより前後方向へ平行移動自在とすると共に、コーナー空間部へ向けて横行自在とするリンク機構を備えた可動オーニング装置を提供する。
そして、本発明の実施化を企図する上で想定される種々の関連する技術課題に対処する付帯装置をも提供する。
【００１１】
尚、スライド構造のオーニング装置として、従来、鉛直に立ち上げた支柱上端に棟木を差し渡し、当該棟木の両側部に矩形キャンバスを両流れ屋根風に展開する折畳みアームを備えた独立型の可動テント装置を構成し、当該折畳みアームを含む可動テントの全体を前記棟木に沿って横行移動することで、日除け範囲を変更自在とする実施形態を開示している（例えば、前記の特許文献２参照。）。
ところが、そこには前記した本発明の課題解決に資するような格別な構成上の関連性を見出し得ないばかりか、建物のコーナー空間部を体裁良く覆うことに対する認識を有していない。
【課題を解決するための手段】
【００１２】
可動オーニング装置Ｓ１ａ〜Ｓ１ｄに関する発明（以下、第１発明という）と、その効果について
第1発明は、（１）・・・出隅キャンバスＧ１を巻き取ったり、巻き戻す巻取りローラＪ１，Ｊ２に、展開した出隅キャンバスＧ１を横行スライド自在とするスライダー１２を嵌挿し、前記出隅キャンバスＧ１のフロントバーＦ１を、折畳みアームＶ１，Ｖ２により前後方向へ平行移動自在に支持すると共に、前方へ展開した出隅キャンバスＧ１のフロントバーＦ１を横行操作自在に構成したことを特徴とする。
これにより、出隅部Ｎ１のコーナー空間部を体裁良く覆うことができ、逆に、出隅部Ｎ１から食み出すことなく壁際付近へ装置全体を体裁良く、コンパクトに収納することができる。
その際、（２）・・・スライダー１２を、巻取りローラＪ１，Ｊ２の軸線方向に形成したスライド案内通路１１２に嵌挿する。
【００１３】
また、第1発明の作動過程として、（３）・・・巻取りローラＪ１，Ｊ２に巻き取った出隅キャンバスＧ１を、巻き戻して前方へ展開した上で、当該出隅キャンバスＧ１のフロントバーＦ１を横行操作することにより、出隅キャンバスＧ１の頂部１に固定したスライダー１２が、巻取りローラＪ１，Ｊ３に沿って横行スライドし、前記コーナー空間部を含む建物外回りに出隅キャンバスＧ１を張り出す。
それとは逆に、（４）・・・コーナー空間部へ張り出した出隅キャンバスＧ１とそのフロントバーＦ１を、その展開状態を維持したまま装置後方へ横行操作することにより、出隅キャンバスＧ１の頂部１に固定したスライダー１２が、巻取りローラＪ１，Ｊ２に沿って装置後方へ横行スライドし、その上で、巻取りローラＪ１〜Ｊ３に巻き取る。
前記（３）、（４）により、展開した出隅キャンバスＧ１のコーナー空間部への前進移動や、当該空間部へ張り出した出隅キャンバスＧ１の後退移動が、安定して円滑、確実に行うことができる。
【００１４】
次に、出隅キャンバスＧ１，Ｇ２の巻取りローラＪ１，Ｊ２に組み込まれるスライダー１２に関する従属発明を列記する。
（５）・・・スライダー１２の中央突条部に、出隅キャンバスＧ１の頂部１を取り付けるキャンバス嵌合溝１２１を形成し、スライダー１２の両側位置に張り出した翼板部１２３を、スライド案内通路１１２の側壁部に嵌挿する。
（６）・・・スライダー１２の両側位置に、スリット溝１２２を備えた翼板部１２３を張り出し、当該スリット溝１２２に適宜の間隔を隔てて小車輪１２４を回転自在に組み付け、当該小車輪１２４を、スライド案内通路１１２の側壁部に形成したレール溝１１３に嵌め込む。
前記（５）、（６）により、展開した出隅キャンバスＧ１の円滑、確実な横行スライドを確保する。
【００１５】
また、本発明のオーニング装置Ｓ１ａ〜Ｓ１ｄに組み込まれる出隅キャンバスＧ１と、その緊張ワイヤに関する従属発明を、以下に列記する。
（７）・・・出隅キャンバスＧ１を、キャンバス本体部Ｘ１と、その一方に張り出したキャンバス張出部Ｘ２とからなる展開形態に形成し、当該出隅キャンバスＧ１の頂部1をスライダー１２に取り付け、そのキャンバス裾部２をフロントバーＦ１に取り付ける。
（８）・・・スライダー１２とフロントバーＦ１との間に、ワイヤ１９３，１９４やベルト等の連結部材を張り渡す。
前記（７）、（８）により、出隅部Ｎ１のコーナー空間部が、出隅キャンバスＧ１により体裁良く覆われ、また、キャンバス巻き取り時と横行スライド時における出隅キャンバスＧ１の面内変形を効果的に防止する。また、出隅キャンバスＧ１の巻き取り、巻き戻しがバランス良く行われ、展開した出隅キャンバスＧ１を緊張状態に支持する。
【００１６】
次に、前記したスライダー１２と、同一機能を保持しながら、構成を簡素化した代替手段を列記する。
（９）・・・スライダー１２を、出隅キャンバスＧ１の頂部１に嵌め込んだスライドキャップ１２ｂに置換する。
（１０）・・・スライドキャップ１２ｂを組み込んだ巻取りローラＪ６の軸線方向に、スライド案内通路１１４を形成し、当該案内通路１１４にスライドキャップ１２ｂを嵌挿する。
（１１）・・・出隅キャンバスＧ１を、キャンバス本体部Ｘ１と、その一方に張り出したキャンバス張出部Ｘ２とからなる展開形態に形成し、当該出隅キャンバスＧ１の頂部1に嵌め込んだスライドキャップ１２ｂと、出隅キャンバスＧ１の裾部２を取り付けたフロントバーＦ１との間に、ワイヤ１９３，１９４やベルト等の連結部材を張り渡す。
前記（９）〜（１１）の場合にも、インナースライダー構造の巻取りローラＪ１，Ｊ２の場合と同様に、出隅部Ｎ１のコーナー空間部が、出隅キャンバスＧ１により体裁良く覆われ、また、キャンバス巻き取り時と横行スライド時における出隅キャンバスＧ１の面内変形を効果的に防止する。また、出隅キャンバスＧ１の巻き取り、巻き戻しがバランス良く行われ、展開した出隅キャンバスＧ１を緊張状態に支持する。
【００１７】
第２の実施態様の可動オーニング装置Ｓ２ａ〜Ｓ２ｄに関する発明（以下、第２発明という）と、その効果について
第２発明は、（１２）・・・出隅キャンバスＧ１を巻き取ったり、巻き戻す巻取りローラＪ３〜Ｊ５を、インナーローラ４１と、当該インナーローラ４１の軸線方向へスライド自在に嵌挿したアウターローラ４２とから形成し、前記出隅キャンバスＧ１のフロントバーＦ１を、折畳みアームＶ１，Ｖ２により前後方向に平行移動自在に支持すると共に、前方へ展開した出隅キャンバスＧ１のフロントバーＦ１を横行操作自在に構成したことを特徴とする。
言い換えれば、（１３）・・・出隅キャンバスＧ１と、それをインナーローラ４１と、当該インナーローラ４１の軸線方向へスライド自在に嵌挿したアウターローラ４２に巻き取ったり、巻き戻す巻取りローラＪ３〜Ｊ５と、前記キャンバスＧ１の裾部２を支持するフロントバーＦ１と、当該フロントバーＦ１を前後方向へ平行移動自在に支持すると共に、展開した出隅キャンバスＧ１のフロントバーＦ１を横行操作自在にリンク構成した折畳みアームＶ１，Ｖ２とを備えている。
前記（１２）、（１３）により、出隅部Ｎ１のコーナー空間部を体裁良く覆うことができ、逆に、出隅部Ｎ１から食み出すことなくコーナー付近へ体裁良く、コンパクトに収納することができる。
【００１８】
また、第２発明の作動過程として、（１４）・・・巻取りローラＪ３〜Ｊ５に巻き取った出隅キャンバスＧ１を、巻き戻して展開した上で、当該出隅キャンバスＧ１のフロントバーＦ１をコーナー空間部へ向けて横行操作することにより、出隅キャンバスＧ１の頂部１に固定したアウターローラ４２が、インナーローラ４１に沿って横行スライドし、前記コーナー空間部を含む建物外回りに出隅キャンバスＧ１を張り出す。
それとは逆に、（１５）・・・コーナー空間部へ張り出した出隅キャンバスＧ１とそのフロントバーＦ１を、展開状態を維持したまま装置後方へ横行操作することにより、出隅キャンバスＧ１の頂部１に固定したアウターローラ４１が、インナーローラ４１に沿って装置後方へ横行スライドした上で、巻取りローラＪ３〜Ｊ５に巻き取る。
前記（１４）、（１５）により、展開した出隅キャンバスＧ１のコーナー空間部への前進移動や、当該空間部へ張り出した出隅キャンバスＧ１の後退移動が、安定して円滑、確実に行うことができる。
【００１９】
また、本発明のオーニング装置Ｓ１ａ〜Ｓ１ｄに組み込まれる出隅キャンバスＧ１と、その緊張ワイヤに関する従属発明を、以下に列記する。
（１６）・・・出隅キャンバスＧ１を、キャンバス本体部Ｘ１と、その一方に張り出したキャンバス張出部Ｘ２とからなる展開形態に形成し、当該出隅キャンバスＧ１の頂部1をアウターローラ４２に取り付け、そのキャンバス裾部２をフロントバーＦ１に取り付ける。
（１７）・・・アウターローラ４２とフロントバーＦ１との間に、ワイヤ１９３，１９４やベルト等の連結部材を張り渡す。
前記（１６）、（１７）により、出隅部Ｎ１のコーナー空間部が体裁良く覆われ、また、キャンバス巻取り時と横行スライド時における出隅キャンバスＧ１の面内変形を防止する。
【００２０】
（１８）・・・インナーローラ４１の軸線方向に、案内溝４１１と案内突条４１２を形成する。
（１９）・・・アウターローラ４２にエンドキャップ４７１，４７２を嵌め込み、当該エンドキャップ４７１，４７２の内周面には、前記（１８）に記載の案内溝４１１や案内突条４１２に嵌挿する案内突起４７３や案内溝４７４を形成する。
（２０）・・・出隅キャンバスＧ１を巻き取り収納するケーシングＫ１に、エンドキャップ１４１，１４２を嵌め込み、当該エンドキャップ１４１，１４２には、先後両端部にエンドキャップ４５１，４５２を嵌め込んだインナーローラ４１を軸受支持し、当該インナーローラ４１には、先後両端部にエンドキャップ４７１，４７２を嵌め込んだアウターローラ４２を嵌挿支持する。
前記（１８）〜（２０）により、アウターローラ１２の円滑な軸線移動を確保し、また、キャンバス巻取り装置の主要部をケーシングＫ１に体裁良く収納する。
【００２１】
（２１）・・・インナーローラ４１ｂの軸線方向に車輪案内溝４１３を形成し、当該インナーローラ４１ｂに嵌挿したアウターローラ４２ａには、前記案内溝４１３を転動する車輪７９を組み込む。
（２２）・・・アウターローラ４２ａの内面に嵌合溝４２２を形成し、当該嵌合溝４２２に車輪ユニットＤを嵌め込み、当該ユニットＤに組み付けた車輪７９が、車輪案内溝４１３を転動するようにする。
前記（２１）、（２２）のような転動構造の巻取りローラＪ５とすることで、アウターローラ４２ａに対する、より円滑な移動を可能とする。
【００２２】
（２３）・・・オーニング装置Ｓ１ａ〜Ｓ１ｄ、Ｓ２ａ〜Ｓ２ｄの２体を、出隅部Ｎ１の一方と他方のコーナー位置に向かい合わせて取り付け、それぞれの巻取りローラＪ１〜Ｊ６とフロントバーＦ１に、出隅キャンバスＧ１の頂部１と裾部２を取り付け、必要に応じてワイヤ１９３，１９４やベルト等の連結部材を張り渡す。
これにより、２体の出隅キャンバスＧ１が出隅部Ｎ１のコーナー空間部に向かい合わせて張り出され、当該コーナー空間部を建物外回りが体裁良く覆われる。
（２４）・・・オーニング装置Ｓ１ａ〜Ｓ１ｄ、Ｓ２ａ〜Ｓ２ｄに、矩形キャンバスＰ１を巻き取ったり、巻き戻す巻取りローラ３０と、当該矩形キャンバスＰ１の裾部６を取り付けるフロントバー３１と、当該フロントバー３１を平行移動するように支持した折畳みアームＶ３、Ｖ４とからなる可動オーニング装置Ｑを組み合わせるに、出隅キャンバスＧ１の巻取りローラＪ１〜Ｊ６の後半部位に、前記矩形キャンバスＰ１の巻取りローラ３０の前半部位を上下に間隔を隔てて重ね合わせたことを特徴とする。
これにより、各種建築物のコーナー空間部を含む外回りが、恰も一体物のように統一的に体裁性良く覆われる。
【００２３】
（２５）・・・一方の巻取りローラＪ１〜Ｊ６に巻き取る出隅キャンバスＧ１を下巻きし、他方の巻取りローラ３０に矩形キャンバスＰ１を上巻きする。
（２６）・・・一方の巻取りローラＪ１〜Ｊ７に巻き取る出隅キャンバスＧ１，Ｇ２を上巻きし、他方の巻取りローラ３０に巻き取る矩形キャンバスＰ１を下巻きする。
前記（２５）、（２６）により、キャンバス展開時における両キャンバスの境界部分での段差が目立たないようにしている。
【００２４】
その他、本発明に対する種々の従属発明を順次列記する。
（２７）・・・出隅キャンバスＧ１の巻取りローラＪ１，Ｊ２、Ｊ６に、ローラ本体１１の嵩上げ部材を取り付ける。
（２８）・・・嵩上げ部材が、螺旋状の嵩上げリング３３１であって、巻取りローラＪ１，Ｊ２、Ｊ６の中間付近からローラ先端部又は先後両端部へ向かうに連れて、そのリング外径を段階的に大きくする。
（２９）・・・出隅キャンバスＧ１の斜部３に、嵩上げシート３２を取り付ける。
前記（２７）〜（２９）により、出隅キャンバスＧ１をバランス良く、均等に巻き上げることができる。
【００２５】
（３０）・・・スライダー１２を組み込んだ巻取りローラＪ１の軸端部に、出隅キャンバスＧ１を巻き取ったり、巻き戻す手動装置又は電動装置を組み込む。
（３１）・・・スライダー１２を組み込んだ巻取りローラＪ２の内部に、出隅キャンバスＧ１を巻き取ったり、巻き戻す電動モータＭ１を組み込む。
（３２）・・・電動モータＭ１の先後両端部に、モータ出力軸２７１と固定用軸部２７２を設け、一方のモータ出力軸２７１に嵌め込んだ伝動ソケット２８１を、ローラ本体１１の内部に嵌め込み、前記電動モータＭ１の後方部を、ローラ本体１１のエンドキャップ１５２に嵌挿し、他方の固定用軸部２７２を、出隅キャンバスＧ１，Ｇ２を巻き取り収納するケーシングＫ１のエンドキャップ１４２に嵌め込む。
【００２６】
（３３）・・・インナーローラ４１の軸端部に、当該インナーローラ４１とアウターローラ４２を正逆回転する手動装置又は電動装置を組み込む。
（３４）・・・インナーローラ４１，４１ｂの内部に、当該インナーローラ４１，４１ｂとアウターローラ４２，４２ａを正逆回転する電動モータＭ１を組み込む。
（３５）・・・電動モータＭ１の先後両端部に、モータ出力軸２７１と固定用軸部２７２を設け、一方のモータ出力軸２７１に嵌め込んだ伝動ソケット４８１を、インナーローラ４１の内部に嵌め込み、電動モータＭ１の後方部をインナーローラ４１のエンドキャップ４５２に嵌挿し、他方の固定用軸部２７２をケーシングＫ１のエンドキャップ１４２に嵌め込む。
【００２７】
（３６）・・・フロントバーＦ１に、出隅キャンバスＧ１の横行操作用掛止部２４１を設ける。
（３７）・・・折畳みアームが、後部リンク２５１と前部リンク２５２を二つ折れ自在に付勢支持してなるＶ字アームＶ１，V２であって、当該Ｖ字アームＶ１，Ｖ２の開き具合が半開き状態の段階で、前方へ展開した出隅キャンバスＧ１のそれ以上の展開を規制することにより、当該出隅キャンバスＧ１のフロントバーＦ１をコーナー空間部へ向けて横行操作自在とする。
これにより、展開した出隅キャンバスＧ１をコーナー空間部へ向けて円滑に張り出すことができ、構成の簡素化にも優れる。
（３８）・・・後部リンク２５１と前部リンク２５２に、その揺動角度を規制するストッパー２０１，２０２を設ける。
【発明を実施するための最良の形態】
【００２８】
本発明の可動オーニング装置Ｓ１ａ〜Ｓ１ｄ、Ｓ２ａ〜Ｓ２ｄは、出隅キャンバスＧ１を巻き取ったり、巻き戻し、展開した出隅キャンバスＧ１の横行スライド構造を備えた巻取りローラＪ１〜Ｊ６と、折畳みアームＶ１，Ｖ２により前後方向へ平行移動自在に支持する出隅キャンバスＧ１のフロントバーＦ１を備え、且つ、前方へ展開した出隅キャンバスＧ１のフロントバーＦ１を、出隅部Ｎ１のコーナー空間部へ向かって横行操作し、出隅キャンバスＧ１を巻取りローラＪ１〜Ｊ６に沿って横行スライドすることにより、出隅部Ｎ１のコーナー空間部を含む建物外回りに覆うように構成している。
【００２９】
そこで、本発明の実施態様を添付図面に従って説明するに、先ず、図１〜図２０に示す第１の実施形態の可動オーニング装置とその関連構成を説明し、次いで、図２１〜図３８に示す第２の実施形態の可動オーニング装置とその関連構成を説明する。最後に、図３９と図４０に示す実施形態の巻取りローラを説明する。
【第１の実施形態】
【００３０】
第1実施形態のオーニング装置Ｓ１ａに関する各部の構成と、その作動過程を図１〜図１３に基づいて説明する。
【キャンバス巻取り装置】
【巻取りローラの第１例】
【００３１】
Ｋ１は出隅キャンバスＧ１を巻き取り収納するケーシングであって、出隅部Ｎ１のコーナー付近の外壁Ｗ１（正面壁）、Ｗ２（側面壁）にほぼ水平状態に直接取り付けるか、適宜の支持ブラケット（図示せず）を介して間接的に固定し、必要に応じて、その前傾角度を可変調整自在に取り付ける。
ケーシングＫ１の内部には、出隅キャンバスＧ１の巻取りローラＪ１が組み込まれ、当該巻取りローラＪ１は、中空円筒状のローラ本体１１と、その内部に嵌挿支持したスライダー１２とからなる。
ローラ本体１１の表面には案内溝１１１が、その内側位置にはスライド案内通路１１２がそれぞれ軸線方向へ形成され、前記案内溝１１１付きのスライド案内通路１１２に、凸字状の断面形態を呈するスライダー１２を転動案内自在に嵌挿している。
スライダー１２の中央突条部には、ほぼΩ字状のキャンバス嵌合溝１２１が形成され、その両側位置には、スリット溝１２２を備えた翼板部１２３が張り出している。
１２４は小車輪であって、翼板部１２３のスリット溝１２２に適宜間隔を隔てて嵌め込まれ、ピン１２５により回転自在に組み付けられ、前記スライド通路１１２の側壁部に形成したレール溝１１３を転動案内される。
【００３２】
１３１はケーシングＫ１の前面に開口形成したキャンバス引出口、１４１，１４２はケーシングＫ１の先後両端部に嵌め込んだエンドキャップであって、その内部には、丸孔を穿設した軸受部１４３，１４４を突設している。
１５１、１５２はローラ本体１１の先後両端部に嵌め込んだエンドキャップであって、そのキャップ本体部に貫通固定した支軸１５３，１５４を、前記軸受部１４３，１４４にそれぞれ回転自在に嵌め込んでいる。
１６１はエンドキャップ１５１の支軸１５３に嵌合固定したウォーム歯車、１６２はウォーム歯車１６１と噛み合うウォームであって、そのウォーム回転軸１６３を前記エンドキャップ１４１内部の上下軸受部１４５に鉛直支持し、その下端部に操作ロッド（図示せず）と係合するフック１６４を形成している。これにより、巻取りローラＪ１が手動により正逆回転自在に操作される。
尚、前記の場合、エンドキャップ１４１，１４２それ自体を、巻取りローラＪ１の軸受用ブラケットとして、外壁Ｗ１，Ｗ２から突出して取り付けた場合には、ケーシングＫ１の必要性が任意なものとなる。
【出隅キャンバス】
【００３３】
ここで、図７（Ａ）〜（Ｃ）と図８（Ａ）、（Ｂ）に示す出隅キャンバスＧ１と、それに組み込まれるワイヤ類の構成を説明する。
出隅キャンバスＧ１は、布製や合成樹脂製等のテント生地により、その展開形状をほぼ直角台形状の平面形態に形成され、矩形状のキャンバス本体部Ｘ１と、その一方に張り出した直角三角形状のキャンバス張出部Ｘ２とからなる。
その外形形状としては、キャンバス上縁部の頂辺１（以下、キャンバス頂部という）とキャンバス下縁部の裾辺２（以下、キャンバス裾部という）を天地平行に形成し、キャンバス裾部２の先端部からキャンバス頂部１の先端部にかけて傾斜角度４５度程度の斜辺３（以下、キャンバス斜部という）を裾拡がりに形成し、また、キャンバス裾部２の後端部からキャンバス頂部１の後端部に向けて鉛直な垂辺４（以下、キャンバス鉛直部という）を形成している。
１８１，１８２はキャンバス頂部１とキャンバス裾部２に形成した袋状の通孔であって、その内部にワイヤ１８３，１８４やチューブ、ロープ等の固定部材を挿通する。
【００３４】
１９１，１９２はキャンバス本体部Ｘ１の四隅部を斜めに結ぶ対角線上に形成した袋状の交差通孔であって、その内部に連結ワイヤ１９３，１９４や連結ベルト、ロープ等のキャンバス緊張部材を貫挿し、そのワイヤ先端部の係合片１９５，１９６を、交差通孔１９１，１９２の頂部引出口から斜め上方へ引き出し、ワイヤ末端部とその止め具１９７，１９８を、交差通孔１９１，１９２の底部引出口から斜め下方へ引き出す。
そこで、出隅キャンバスＧ１を巻取りローラＪ１に取り付けるには、先ず、スライダー１２のキャンバス嵌合溝１２１にキャンバス頂部１を臨ませ、その通孔１８１に取付ワイヤ１８３を挿通することで、キャンバス頂部１を抜け止め固定する。
次いで、キャンバス嵌合溝１２１の先後位置に、図４、図５と図６（Ｃ）に示すようにビス１０１を螺合し、頂部引出口から引き出した連結ワイヤ１９３，１９４の係合片１９５，１９６を前記嵌合溝１２１に嵌め込み、その外側にもビス１０２を螺合することで、係合片１９５，１９６が挟み込んだ状態に位置決め固定する。
【フロントバー】
【００３５】
Ｆ１は出隅キャンバスＧ１の裾部２を取り付けるフロントバーであって、その前板部３４１を弧状面（鉛直面でも可）に成形し、背面部を開口形成している。
３５１，３５２は上向きに開口した上部嵌合溝と、下向きに開口した下部嵌合溝であって、フロントバーＦ１の前面上下位置から後方へ張り出した上板部３４２と下板部３４３の長手方向へ形成している。３４４，３４５は上板部３４２の中間付近と後端付近に穿設した通孔である。
そこで、キャンバス裾部２を上部嵌合溝３５１に臨ませ、その通孔１８２に取付ワイヤ１８４を挿通することで、キャンバス裾部２を抜け止め固定する。
次いで、底部引出口から引き出した連結ワイヤ１９３，１９４の末端部を、図４（Ｂ）や図５に示す通孔３４４，３４５に挿通し、出隅キャンバスＧ１を適度な緊張状態に張り渡し、止め具１９７，１９８をビス固定する。これにより、出隅キャンバスＧ１の巻取り装置が構成される。
２４１はフロントバーＦ１の中間付近の底部位置に突出形成した掛止部（掛止孔でも可）であって、当該掛止部２４１に操作ロッド（図示せず）の先端部を係止した上で、展開した出隅キャンバスＧ１を横行操作するに便宜としている。
尚、下部嵌合溝３５２には、フロントバーＦ１の化粧用のフロントスカート（図示せず）が、必要に応じて取り付けられる。
【キャンバス緊張装置】
【折畳みアーム】
【００３５】
Ｖ１，Ｖ２はフロントバーＦ１を支持する先後２体で一組の折畳みアーム（以下、Ｖ字アームという）であって、後部リンク２５１と前部リンク２５２を二つ折れ自在に連結し、その二つ折れ連結部には、ばねや引張ワイヤ（図示せず）等が組み込まれ、当該Ｖ字アームＶ１，Ｖ２を拡開方向へ押圧付勢している。
２６１はＶ字アームＶ１，Ｖ２の基端部、即ち、後部リンク２５１の基端部をピン枢支するブラケットであって、図１０〜図１３に示すように、巻取りローラＪ１乃至ケーシングＫ１を、おおよそ４〜５等分したとき、装置先方のＶ字アームＶ１のブラケット２６１を、巻取りローラＪ１の先方部の１／４〜１／５程度の部位に相当するケーシングＫ１底部の外壁Ｗ１部分などに取り付け、また、装置後方のＶ字アームＶ２のブラケット２６１を、巻取りローラＪ１の後方部の１／４〜１／５程度を残した部位に相当するケーシングＫ１底部の外壁Ｗ１部分などに取り付ける。
２６２はＶ字アームＶ１，Ｖ２の前端部、即ち、前部リンク２５２の前端部をピン枢支するブラケットであって、当該ブラケット２６２の背面部から図４（Ｂ）に示すように挿通したボルト２６５を、予めフロントバーＦ１の内部に嵌め込んだプレート２３１に螺合固定する。
【００３６】
そこで、図１２や図１３に示すように、フロントバーＦ１を、おおよそ４〜５等分したとき、装置先方のＶ字アームＶ１のブラケット２６２を、当該フロントバーＦ１の先方部の１／４〜１／５程度の部位に取り付け、また、装置後方のＶ字アームＶ２のブラケット２６２を、フロントバーＦ１の後方部の１／４〜１／５程度を残した部位に取り付ける。
これにより、フロントバーＦ１は、先後２体のＶ字アームＶ１，Ｖ２により水平状態に支持され、特に、装置先方のＶ字アームＶ１が後方へ向かって二つ折れされ、装置後方のＶ字アームＶ２が、前記Ｖ字アームＶ１とは反対の先方へ向かって二つ折れされる。
図１３（Ａ）、（Ｂ）の上下位置に示す部分拡大図において、２０１は後部リンク２５１の後端部の片側に突出形成したストッパー、２０２は前部リンク２５２の前端部の片側に突出したストッパーであって、図１３（Ａ）の段階では、装置先方のＶ字アームＶ１の後部リンク２５１が、図中の揺動角度α１でブラケット２６１に当たることで回転が制止され、装置後方のＶ字アームＶ２の前部リンク２５２が、同じく揺動角度α１でブラケット２６２に当たることで回転が制止される。
【００３７】
また、図１３（Ｂ）の段階では、装置先方のＶ字アームＶ１の前部リンク２５２が、図中の揺動角度β２でブラケット２６２に当たることで回転が制止され、装置後方のＶ字アームＶ２の後部リンク２５１が、同じく揺動角度β２でブラケット２６１に当たることで回転が制止される。これにより、Ｖ字アームＶ１，Ｖ２の揺動回転と、折り畳み開始時の姿勢を規制している。
具体的には、例えば、図１３（Ａ）に示す状態の場合には、Ｖ字アームＶ１の後部リンク２５１と巻取りローラＪ１の軸線とが平面交差する角度α１と、Ｖ字アームＶ２の前部リンク２５２とフロントバーＦ１とが平面交差する角度α１が、共に「７５度」程度のところで、各リンク２５１，２５２に対する揺動がストッパー２０１，２０２により回転規制され、その際、Ｖ字アームＶ１，Ｖ２の二つ折れ角度θ１を「１３０度」程度としている。これにより、出隅部Ｎ１のコーナー空間部を含む建物外回りに張り出した出隅キャンバスＧ１の展開状態を安定して維持する。
【００３８】
また、図１３（Ｂ）に示す状態の場合には、Ｖ字アームＶ１の前部リンク２５２とフロントバーＦ１とが平面交差する角度β２と、Ｖ字アームＶ２の後部リンク２５１と巻取りローラＪ１とが平面交差する角度β２が、共に「４５度」程度のところで、各リンク２５２，２５１に対する揺動がストッパー２０２，２０１により回転規制止され、その際、Ｖ字アームＶ１，Ｖ２の二つ折れ角度θ２を「９０度弱」としている。
これにより、前方へ展開した出隅キャンバスＧ１を巻取りローラＪ１，Ｊ２へ巻き取る際の位置決めがなされ、先後のＶ字アームＶ１，Ｖ２が均等に二つ折れされながら折り畳まれることで、フロントバーＦ１が前後方向へ直線的に平行移動する。
前記した図１３（Ａ）の場合には、交差角度α１を「７５度」程度、二つ折れ角度θ１を「１３０度」程度、交差角度β１を「２５度」程度に設定したが、それらの各角度の内、α１を「８０〜６０度」程度、θ１を「１２０〜１５０度」程度、β１を「２０〜３５度」程度のいずれか範囲内に設定することが望ましい。
極端な場合、それぞれのＶ字アームＶ１，Ｖ２における後部リンク２５１と前部リンク２５２のなす二つ折れ角度θ１を「１８０度」未満とし、その際の交差角度α１、β１を「５０±１０度」程度となるように設定することもできる。
【電動構造の巻取りローラ】
【００３９】
前記した巻取りローラＪ１の場合は、手動により回転操作されるが、図９（Ａ）、（Ｂ）に示す第２例の巻取りローラＪ２の場合は、ローラ本体１１に内蔵した円柱状の電動モータＭ１により正逆回転する。
同図において、電動モータＭ１はローラ本体１１の後方部に挿通され、その先端部にモータ出力軸２７１を、後端部に固定用軸部２７２をそれぞれ突設している。
２８１はローラ本体１１に嵌合する切り欠き部２８３を備えた伝動ソケットであって、その軸孔２８２にモータ出力軸２７１が嵌め込まれる。１５５はエンドキャップ１５２の貫通孔であって、当該貫通孔１５５に電動モータＭ１の後部位置を軸受支持する。
そこで、モータ出力軸２７１に伝動ソケット２８１を嵌合固定した上で、電動モータＭ１をローラ本体１１の後方部に挿通し、他方、電動モータＭ１の本体後部にエンドキャップ１５２を挿通した上で、ローラ本体１１の後端部に嵌め込み、電動モータＭ１の後端軸部２７２をエンドキャップ１４２の軸受部１４５の扁平孔（角孔でも可）に嵌合固定する。
これにより、ローラ本体１１の内部に電動モータＭ１が組み込まれる。
従って、電動モータＭ１を駆動すると、その出力軸２７１と伝動ソケット２８１とローラ本体１１が一体的に正逆回転し、出隅キャンバスＧ１の巻き取り、巻き戻し作業を自動化、省力化する。
【出隅キャンバスの後退横行過程と巻取り収納過程】
【００４０】
そこで、図１０（Ａ）と図１２（Ａ）と図１３（Ａ）に示すように、出隅部Ｎ１のコーナー空間部を含む建物外回りへ張り出した出隅キャンバスＧ１を、巻取りローラＪ１，Ｊ２に巻き取り収納する場合には、先ず、フロントバーＦ１の掛止部２４１に、下方から操作ロッド（図示せず）の先端フック部を引っ掛けた上で後方へ引っ張り操作する。
その際、掛止部２４１が下方から手の届く程度の高さにある場合には、当該掛止部２４１を把持した上で、後方へ向かって引っ張る。
すると、出隅キャンバスＧ１は、その展開状態を保持したまま後方へ引き下げられ、それに追随してキャンバス頂部１のスライダー１２も、スライド案内通路１１２に沿って後退する。それと同時に、図１３（Ａ）に示すように、二つ折れ角度θ１で拡開付勢していたＶ字アームＶ１，Ｖ２は、その拡開付勢力に抗して内側へ若干折り畳まれ、図１３（Ｂ）の複数の想像線に示すように、装置先方のＶ字アームＶ１の二つ折れ連結部を斜め後方へ若干引き上げるように揺動回転し、また、装置後方のＶ字アームＶ２の二つ折れ連結部を斜め下方へ若干引き下げるように揺動回転することにより、図１３（Ｂ）の実線に示すような、先後対称のＶ字状の折れ曲げ状態に形態変化する。
それにより、フロントバーＦ１を含む出隅キャンバスＧ１を、図１０（Ｂ）〜（Ｃ）や図１２（Ｂ）〜（Ｃ）及び図１３（Ｂ）に示すように装置後方へ平行に横行スライドする。その際、キャンバス頂部１のスライダー１２は、ローラ本体１１の後半部まで後退するか、或いは、少なくとも、キャンバス張出部Ｘ２が、側面壁Ｗ２を結ぶ線上の出隅部Ｎ１から食み出さない程度の後方位置まで引き下げられる。
【００４１】
次いで、図３〜図６に示す第1例の巻取りローラＪ１の場合には、手動装置のフック１６４に操作ロッド（図示せず）を係合して回転操作する。また、図９に示す第２例の巻取りローラＪ２の場合には、電動モータＭ１を巻き上げ駆動する。
すると、出隅キャンバスＧ１は、キャンバス頂部１の表面を内側にし、裏面を外側にして下側から巻取りローラＪ１、Ｊ２に巻き付けられ、図１１（Ｄ）〜（Ｅ）や図１２（Ｄ）〜（Ｅ）及び図１３（Ｃ）の複数の想像線に示すようにして巻き上げられる。
その際、Ｖ字アームＶ１，Ｖ２は、その二つ折れ連結部に組み込んだばね等による弾性付勢力に抗して折り畳まれ、出隅キャンバスＧ１のフロントバーＦ１を、壁際部分へ向けて直線的に後方へ向かって平行移動し、装置全体を壁際部分へコンパクトに折り畳み収納される。
前記の場合、連結ワイヤ１９３，１９４は、フロントバーＦ１とスライダー１２との間を交差連結し、出隅キャンバスＧ１を緊張状態に展開支持している。その為、展開した出隅キャンバスＧ１を横行操作する際に、そのキャンバス本体部Ｘ１を歪ませたり、面内変形を引き起こすことが防止され、出隅キャンバスＧ１の円滑な横行移動を確保する。
【出隅キャンバスの巻戻し展開過程と横行前進過程】
【００４２】
次に、巻取りローラＪ１、Ｊ２に巻き取られた出隅キャンバスＧ１を、建物の前方へ向けて展開する場合には、手動装置のフック１６４に係止した操作ロッドを、前記とは逆方向へ回転操作するか、或いは、電動モータＭ１を巻き戻し方向へ回転駆動する。
すると、巻取りローラＪ１、Ｊ２に巻き上げられた出隅キャンバスＧ１が巻き戻され、また、壁際部分に折り畳まれたＶ字アームＶ１，Ｖ２の弾性付勢力が解放され、その押圧付勢力でＶ字アームＶ１，Ｖ２が拡開方向へ付勢回転し、出隅キャンバスＧ１のフロントバーＦ１を、平行移動しながら前方へ向けて直線的に押し出される。これにより、出隅キャンバスＧ１は、正面壁Ｗ１の前方へ巻き戻されて緊張状態に展開支持される。
その際、図１３（Ｂ）に示すように、Ｖ字アームＶ１の前部リンク２５２のストッパー２０２が、当該Ｖ字アームＶ１のそれ以上の拡開を規制し、Ｖ字アームＶ２の後部リンク２５１のストッパー２０１が、当該Ｖ字アームＶ２のそれ以上の拡開を規制する。
その為、Ｖ字アームＶ１，Ｖ２の拡開角度θ２が、「９０度弱」程度の半開き状態の段階で、展開した出隅キャンバスＧ１に対するそれ以上の前方への展開を拘束している。
この段階で、出隅キャンバスＧ１の装置後方への移動は、前記ストッパー２０２、２０１により制止されるものの、それとは逆の装置先方のコーナー空間部への横行操作は、自由に行える状態にある。
【００４３】
そこで、フロントバーＦ１の掛止部２４１に、下方から操作ロッド（図示せず）の先端フック部を引っ掛けた上で、出隅部Ｎ１のコーナー空間部へ向けて横行操作するか、或いは、掛止部２４１が手の届く程度の高さにある場合には、当該掛止部２４１を把持した上でコーナー空間部へ向けて横方向へ押し出し操作する。
すると、展開した出隅キャンバスＧ１とそのフロントバーＦ１は、装置先方のコーナー空間部へ向けて横行移動し、その際、キャンバス頂部１のスライダー１２は、スライド案内通路１１２に沿って横行スライドする。
それにより、出隅キャンバスＧ１は、図１０（Ｃ）〜（Ａ）や図１２（Ｃ）〜（Ａ）及び図１３（Ｂ）〜（Ａ）に示すように前進移動し、そのキャンバス張出部Ｘ２が出隅部Ｎ１のコーナー空間部へ向けて押し出される。
【００４４】
その際、装置先方のＶ字アームＶ１の前部リンク２５２は、図１３（Ｂ）の交差角度β２から徐々に先方へ引き出されることで、図１３（Ａ）の交差角度β１の緩やかな傾斜勾配に変化し、また、後部リンク２５１との二つ折れ角度θ２が「９０度弱」程度の状態から、その二つ折れ角度が徐々に広げられ、図１３（Ａ）に示す二つ折れ角度が「１３０度」程度に後部リンク２５１が立ち上げられた段階で、それ以上の揺動回転が制止される。
他方、装置後方のＶ字アームＶ２の前部リンク２５２は、図１３（Ｂ）の交差角度α２から徐々に先方へ引き出されることで、図１３（Ａ）の交差角度α１の急な傾斜勾配に変化し、また、後部リンク２５１との二つ折れ角度θ２が「９０度弱」程度の状態から、その二つ折れ角度が徐々に広げられ、図１３（Ａ）に示す二つ折れ角度が「１３０度」程度になった段階で、それ以上の揺動回転が制止される。
これにより、出隅部Ｎ１のコーナー空間部へ張り出した出隅キャンバスＧ１とそのフロントバーＦ１は、Ｖ字アームＶ１，Ｖ２の二つ折れ角度が、「θ２からθ１」に押し広げながら姿勢変化しながら押し広げられ、交差角度α１の段階でＶ字アームＶ１，Ｖ２のそれ以上の回転が規制されることで、安定した展開・張り出し状態が形成される。
【００４５】
従って、２体のオーニング装置Ｓ１ａを、図１（Ａ）、（Ｂ）に示すように、出隅部Ｎ１の正面壁Ｗ１のコーナー位置と、側面壁Ｗ２のコーナー位置に直交状（鈍角状や鋭角状でも可）に突き合わせて取り付け、それぞれの巻取りローラＪ１、Ｊ２に巻き取られた出隅キャンバスＧ１を巻き戻して展開した上で、当該キャンバスＧ１の展開状態を維持したままコーナー空間部へ横行移動すれば、２体の出隅キャンバスＧ１がコーナー空間部に向かい合わされて張り出され、当該コーナー空間部を含む建物外回りが体裁良く覆われる。
【折畳みアームのその他の組み合せ】
【００４６】
前記の場合には、装置先方のＶ字アームＶ１を後方へ向かって二つ折れし、装置後方のＶ字アームＶ２を先方へ向かって二つ折れしたが、図１４（Ａ）〜（Ｃ）に示すオーニング装置Ｓ１ｂの場合には、先後に間隔を隔てた２体のＶ字アームＶ１を、共に装置後方へ平行に二つ折れするように組み込んでいる。
そこで、図１４（Ａ）に示すように、コーナー空間部に張り出した出隅キャンバスＧ１のフロントバーＦ１を、装置後方へ横行操作すると、先後一対のＶ字アームＶ１は、図１４（Ｂ）の想像線に示すように装置後方へ二つ折れされ、図１４（Ｂ）の実線位置に押し下げられたところで、巻取りローラＪ１，Ｊ２による出隅キャンバスＧ１の巻き上げ作動がなされ、図１４（Ｃ）の想像線に示すように壁際部分へ向けて直線的に平行移動することで、コンパクトな収納がなされる。
【００４７】
また、図１５（Ａ）〜（Ｃ）に示すオーニング装置Ｓ１ｃの場合は、間隔を隔てた先後一対のＶ字アームＶ２を、図１４（Ａ）〜（Ｃ）の場合とは反対に、共に装置前方へ平行に二つ折れするように組み込んでいる。
そこで、図１５（Ａ）に示す出隅キャンバスＧ１のフロントバーＦ１を、装置後方へ横行操作すると、先後のＶ字アームＶ２は、図１５（Ｂ）の想像線に示すように装置前方へ二つ折れされ、図１５（Ｂ）の実線位置に押し下げられたところで、巻取りローラＪ１，Ｊ２による出隅キャンバスＧ１の巻き上げ作動がなされ、図１５（Ｃ）の想像線に示すように壁際部分へ向けて直線的に平行移動することで、コンパクトな収納がなされる。
従って、図１４（Ａ）、（Ｂ）と図１５（Ａ）、（Ｂ）の場合においても、前記した図１３（Ａ）、（Ｂ）の場合と同様に、交差角度α１を「７５度」程度、二つ折れ角度θ１を「１３０度」程度、交差角度β１を「２５度」程度に設定した場合で図示しているが、それらの各角度の内、α１を「８０〜６０度」程度、θ１を「１２０〜１５０度」程度、β１を「２０〜３５度」程度のいずれか範囲内に設定することが望ましい。
極端な場合には、後部リンク２５１と前部リンク２５２のなす二つ折れ角度θ１を「１８０度」未満とし、その際の交差角度α１とβ１を「５０±１０度」程度に設定することもできる。
【００４８】
尚、図１６（Ａ）〜（Ｃ）に示すオーニング装置Ｓ１ｄの場合は、先後に間隔を隔てた２体で一対のＶ字アームＶ１を、図１６（Ａ）の段階でほぼ逆Ｌ字状に折れ曲げ、前部リンク２５２をフロントバーＦ１に密着して平行に重ね合わせ、後部リンク２５１を平面視してほぼ鉛直にすることで、その二つ折れ角度を「９０度弱」とし、図１６（Ｂ）に示すように、共に装置後方へ平行に二つ折れするようにリンク構成している。
そこで、図１６（Ａ）に示すように、コーナー空間部に張り出した出隅キャンバスＧ１のフロントバーＦ１を、装置後方へ向けて横行操作すると、先後のＶ字アームＶ１は、フロントバーＦ１を後方へ横行移動することにより、図１６（Ｂ）の想像線に示すように装置後方へ二つ折れされ、図１６（Ｂ）の実線位置まで押し下げられたところで、巻取りローラＪ１，Ｊ２による出隅キャンバスＧ１の巻き上げ作動がなされ、図１６（Ｃ）の想像線に示すように壁際部分へ向けて直線的に平行移動することで、コンパクトな収納がなされる。
従って、図１６（Ａ）、（Ｂ）に示す場合は、図１４（Ａ）に示す交差角度α１を「９０度強」とし、二つ折れ角度θ１を「９０度弱」とし、交差角度β１を「０度」としている。
【従来の可動オーニング装置との組み合わせ】
【００４９】
ところで、前記した実施形態に示すオーニング装置Ｓ１ａ〜Ｓ１ｄの後半部位には、通常、図１７（Ａ）〜（Ｃ）に示すように、矩形キャンバスＰ１を展開したり、巻き取る従来構造の可動オーニング装置Ｑ（以下、従来装置という）が組み合わされる。
同図において、Ｋ２は矩形キャンバスＰ１を巻き取り収納するケーシングであって、その内部には、手動操作又は電動操作により正逆回転する巻取りローラ３０が組み込まれ、矩形キャンバスＰ１の頂部が取り付けられる。
３１は矩形キャンバスＰ１の裾部を固定するフロントバー、Ｖ３，Ｖ４は先後に適宜間隔を隔てて取り付けた先後一対の二つ折れ自在なＶ字アームであって、前記した実施形態のＶ字アームＶ１，Ｖ２の場合と同様に、ばねやワイヤ等によりＶ字アームＶ３，Ｖ４を常時、拡開させて押し広げる方向へ付勢している。
【００５０】
そこで、本発明に係るオーニング装置Ｓ１ａ〜Ｓ１ｄのケーシングＫ１の後半底部位置に、従来装置ＱのケーシングＫ２の先端寄りの前半部位をほぼ重ね合わせて取り付け、Ｖ字アームＶ３，Ｖ４の基端部を外壁Ｗ１，Ｗ２の直線区間に適宜間隔を隔てて固定する。
従って、従来装置Ｑの巻取りローラ３０を、手動ハンドルや電動モータ（図示せず）で巻き上げ回転すると、当該巻取りローラ３０に矩形キャンバスＰ１の裏面側を内側にし、表面側を外側にして巻き取ることで上巻きされ、他方、Ｖ字アームＶ３，Ｖ４がその弾性付勢力に抗して内側へ折り畳まれ、フロントバー３１を壁際部分へ向けて平行移動することで収納される。
斯様に、本発明のオーニング装置Ｓ１ａ〜Ｓ１ｄのいずれかと、従来装置Ｑを組み合わせることにより、各種建築物のコーナー空間部を含む外廻りが、恰も一体物のように統一的に体裁性良く覆われる。
前記の場合には、出隅キャンバスＧ１を下巻きし、矩形キャンバスＰ１を上巻きすることで、展開時における両キャンバスＧ１、Ｐ１の境界部分での段差が目立たないように配慮しているが、それとは逆に、従来装置ＱのケーシングＫ２と、本発明のオーニング装置Ｓ１ａ〜Ｓ１ｄのケーシングＫ１との重ね合わせ状態を上下変更することで、出隅キャンバスＧ１を上巻きし、矩形キャンバスＰ１を下巻きするように組み合わせることもできる。
【出隅キャンバスの巻き付け】
【００５１】
ところで、出隅キャンバスＧ１を巻取りローラＪ１，Ｊ２に巻き取る際には、ローラ表面にキャンバス本体部Ｘ１の頂部１が巻き取られ、その外周に巻き取り幅を徐々に長くする裾拡がりのキャンバス裾部２が、ロール状に巻き上げられる。
その為、キャンバス張出部Ｘ２の側が巻き付ける際には、型崩れを引き起こして巻き上げられ、それが原因で出隅キャンバスＧ１の引き出し時には、展開したキャンバス張出部Ｘ２の側に巻き取り皺が目立つことが想定され、体裁性を損なう事態ともなる。
そこで、そのような弊害を防止する構成を説明する。
【嵩上げリング】
【００５２】
図１８（Ａ）、（Ｂ）において、３３１はローラ本体１１のほぼ前半部位の外周面に嵌め込んだ嵩上げリングであって、キャンバス生地の厚さを考慮した上で、巻取りローラＪ１，Ｊ２の中間付近からローラ先端部へ向かうに連れて、ローラ外径を段階的に増しながら螺旋状に形成している。
勿論、展開した出隅キャンバスＧ１の横行スライドを確保するため、スリット１１１と同一線上の嵩上げリング３３１の一部を、Ｖ字状の切り欠き開口部３３２に形成している。
従って、巻取りローラＪ１，Ｊ２の前半部位に嵩上げリング３３１を段階的に取り付けることにより、キャンバス頂部１に比して裾拡がりのキャンバス裾部２が、図１９（Ａ）〜（Ｃ）に示すようにバランス良く均等に巻き上げられる。
前記の場合には、螺旋状の嵩上げリング３３１を、巻取りローラＪ１，Ｊ２の前半部位に段階的に嵌め込んだが、次善の策として、ローラ中間付近からローラ先端部にかけて、筒表面の外径を連続的に徐々に大きくする嵩上げパイプ（図示せず）を嵌め込むこともできる。
【嵩上げシート】
【００５３】
図２０（Ａ）〜（Ｃ）において、３２はキャンバス斜部３寄りの表面側に縁取り固定した嵩上げシートであって、その膜厚を出隅キャンバスＧ１の頂部１から裾部２にかけて連続的に徐々に厚く形成している。
このような嵩上げシート３２を備えたキャンバス張出部Ｘ２が、同一径の巻取りローラＪ１，Ｊ２の外周部にロール状に巻き付られると、前記シート３２の部分が一種のスペーサー機能を発揮し、図２０（Ｃ）に示すように螺旋状に嵩上げされて巻き付けられる。
前記の場合、嵩上げシート３２の膜厚を徐々に厚く形成したが、一巻き毎や二巻き毎に、段階的に厚みを増すこともできる。
【第２の実施形態】
【００５４】
ところで、第１の実施形態の場合には、出隅キャンバスＧ１の巻取りローラＪ１，Ｊ２に、軸線方向へ横行スライドするスライダー１２を組み込んだ、言わば、インナースライダー構造としたが、第２の実施形態の場合には、それとは逆に、インナーローラにアウターローラをスライド自在に嵌挿した、言わば、アウタースライダー構造の巻取りローラＪ３〜Ｊ５を備えた可動オーニング装置を提供する。
そこで、図２１〜図３８に示す第２の実施形態のオーニング装置Ｓ２ａ〜Ｓ２ｄに関する各部の構成を説明する。
【巻取りローラの第３例】
【００５５】
第３例の巻取りローラＪ３は、図２１〜図２６に示すように、中空状のインナーローラ４１と、当該ローラ４１に摺動自在に嵌挿支持した円筒状のアウターローラ４２とからなる。その内、インナーローラ４１の外周面を４等分する軸線方向には、案内溝４１１と案内突条４１２を平行に凹凸形成している。
４５１，４５２はインナーローラ４１の先後両端部に嵌め込んだエンドキャップであって、そのキャップ本体部をインナーローラ４１の内周面とほぼ同形に形成し、キャップ本体部に貫通固定した支軸４５３，４５４を、エンドキャップ１４１，１４２の軸受部１４３，１４４にそれぞれ回転自在に嵌め込んでいる。
４７１，４７２はアウターローラ４２の先後両端部に嵌め込んだ中空状のエンドキャップであって、そのキャップ本体部の内周面には、案内突起４７３と案内溝４７４が形成され、インナーローラ４１の案内溝４１１と案内突条４１２にスライド自在に嵌め込まれる。
これにより、インナーローラ４１とアウターローラ４２が一体的に正逆回転すると共に、アウターローラ４２がインナーローラ４１に摺動案内されて軸線方向へ進退移動する。
アウターローラ４２の軸線方向には、Ω状のキャンバス嵌合溝４２１を形成している。
尚、第２の実施形態を構成する出隅キャンバスＧ１、フロントバーＦ１、折畳みアームＶ１，Ｖ２等については、第１の実施形態の場合と同様であるので、同一の符号を付して、その詳細な説明は省略する。
【００５６】
そこで、前記巻取りローラＪ３に出隅キャンバスＧ１を取り付けるに、先ず、アウターローラ４２のキャンバス嵌合溝４２１にキャンバス頂部１を臨ませ、その通孔１８１に取付ワイヤ１８３を挿通することで、キャンバス頂部１を抜け止め固定する。
次いで、キャンバス嵌合溝４２１の先後位置に、図２４（Ｂ）〜図２６（Ｂ）に示すようにビス１０１を螺合し、頂部引出口から引き出した連結ワイヤ１９３，１９４の係合片１９５，１９６を前記嵌合溝１２１に嵌め込み、その外側にもビス１０２を螺合することで、係合片１９５，１９６が挟み込まれた状態に位置決め固定される。
他方、フロントバーＦ１にキャンバス裾部２を取り付けるには、当該裾部２を嵌合溝３５１に臨ませた上で、その通孔１８２にワイヤ１８４を挿通することで、キャンバス裾部２を抜け止め固定する。次いで、底部引出口から引き出した連結ワイヤ１９３，１９４の末端部を、図２５に示す通孔３４４，３４５に挿通し、出隅キャンバスＧ１を適度な緊張状態に張り渡したところで、止め具１９７，１９８を締め付け固定する。
これにより、出隅キャンバスＧ１の巻取り装置が構成される。
【電動構造の巻取りローラ】
【００５７】
図２７（Ａ）、（Ｂ）に示す第４例の巻取りローラＪ４の場合は、それをインナーローラ４１に内蔵した円柱状の電動モータＭ１により正逆回転するようにしている。
電動モータＭ１は、インナーローラ４１の後方部に挿通され、その先端部にモータ出力軸２７１を、後端部に固定用軸部２７２をそれぞれ突設している。
４８１はインナーローラ４１に嵌挿する凹凸面を備えた伝動ソケットであって、その軸孔４８２にモータ出力軸２７１が嵌め込まれる。４５５はエンドキャップ４５２の貫通孔であって、当該貫通孔４５５に電動モータＭ１の後部位置を軸受支持する。
そこで、モータ出力軸２７１に伝動ソケット４８１を嵌合固定した上で、電動モータＭ１をインナーローラ４１の後方部に挿通し、他方、電動モータＭ１の本体後部にエンドキャップ４５２を挿通した上で、インナーローラ４１の後端部に嵌め込み、電動モータＭ１の後端軸部２７２をエンドキャップ１４２の軸受部１４５の扁平孔（角孔でも可）に嵌合固定する。これにより、インナーローラ４１の内部に電動モータＭ１が組み込まれる。
従って、電動モータＭ１を駆動すると、その出力軸２７１と伝動ソケット４８１とインナーローラ４１とアウターローラ４２が一体的に正逆回転し、出隅キャンバスＧ１の巻き取り、巻き戻し作業を自動化、省力化する。
【出隅キャンバスの後退横行過程と巻取り収納過程】
【００５８】
そこで、図２８（Ａ）と図３０（Ａ）と図３１（Ａ）に示すように、出隅部Ｎ１のコーナー空間部を含む建物外回りに張り出した出隅キャンバスＧ１を、巻取りローラＪ３，Ｊ４に巻き取り収納する場合には、先ず、フロントバーＦ１の掛止部２４１に、下方から操作ロッド（図示せず）の先端フック部を引っ掛けた上で後方へ引っ張り操作する。
すると、出隅キャンバスＧ１は、その展開状態を保持したまま後方へ引き下げられ、それに追随してキャンバス頂部１のアウターローラ４２も、インナーローラ４１に沿って後退スライドする。それにより、出隅キャンバスＧ１は、図２８（Ｂ）〜（Ｃ）や図３０（Ｂ）〜（Ｃ）に示すように装置後方へ平行に横行スライドする。
当然のことながら、キャンバス頂部１のアウターローラ４２は、インナーローラ４１の後半部まで後退するか、或いは、キャンバス張出部Ｘ２が、側面壁Ｗ２を結ぶ線上の出隅部Ｎ１から食み出さない程度の後方位置まで引き下げられる。
【００５９】
次いで、図２６に示す第３例の巻取りローラＪ３の場合には、手動装置のフック１６４に操作ロッド（図示せず）を係合して回転操作する。また、図２７に示す第４例の巻取りローラＪ４の場合には、電動モータＭ１を巻き上げ駆動する。
すると、出隅キャンバスＧ１は、キャンバス頂部１の表面を内側にし、裏面を外側にして下側から巻取りローラＪ３，Ｊ４に巻き付けられ、図２８（Ｃ）〜図２９（Ｅ）や図３０（Ｃ）〜（Ｅ）に示すように巻き上げられる。
その際、Ｖ字アームＶ１，Ｖ２は、その二つ折れ連結部に組み込んだ弾性付勢力に抗して折り畳まれ、出隅キャンガスＧ１のフロントバーＦ１を、壁際部分へ向けて直線的に平行移動しながら折り畳み収納する。
前記の場合、連結ワイヤ１９３，１９４は、フロントバーＦ１とアウターローラ４２を交差連結し、出隅キャンバスＧ１を緊張状態に展開支持している。
【出隅キャンバスの巻戻し展開過程と横行前進過程】
【００６０】
次に、巻取りローラＪ３，Ｊ４に巻き取られた出隅キャンバスＧ１を、建物の前方へ向けて展開する場合には、手動装置のフック１６４に係止した操作ロッドを、前記とは逆方向へ回転操作するか、或いは、電動モータＭ１を巻き戻し方向へ回転駆動する。
すると、インナーローラ４１とアウターローラ４２が一体的に回転し、巻取りローラＪ３，Ｊ４に巻き上げられた出隅キャンバスＧ１が巻き戻され、また、壁際部分に折り畳まれたＶ字アームＶ１，Ｖ２の弾性付勢力が解放され、その押圧付勢力でＶ字アームＶ１，Ｖ２が拡開方向へ付勢回転し、図２９（Ｅ）〜図２８（Ｃ）や図３０（Ｅ）〜（Ｃ）に示すように、出隅キャンバスＧ１のフロントバーＦ１を、平行移動しながら前方へ向けて直線的に押し出す。これにより、出隅キャンバスＧ１は、正面壁Ｗ１の前方へ巻き戻されて緊張状態に展開支持される。
その際、図３１（Ｂ）に示すように、Ｖ字アームＶ１の前部リンク２５２のストッパー２０２が、当該Ｖ字アームＶ１のそれ以上の拡開を規制し、Ｖ字アームＶ２の後部リンク２５１のストッパー２０１が、当該Ｖ字アームＶ２のそれ以上の拡開を規制する。
その為、Ｖ字アームＶ１，Ｖ２の拡開角度θ２が、「９０度弱」程度の半開き状態の段階で、展開した出隅キャンバスＧ１に対するそれ以上の前方への展開を拘束している。
この段階で、出隅キャンバスＧ１の装置後方への移動は、前記ストッパー２０２、２０１により制止されるものの、それとは逆の装置先方のコーナー空間部への横行操作は、自由に行える状態にある。
【００６１】
そこで、フロントバーＦ１の掛止部２４１に、下方から操作ロッド（図示せず）の先端フック部を引っ掛けた上でコーナー空間部へ向けて引っ張り操作する。
すると、展開した出隅キャンバスＧ１とそのフロントバーＦ１は、装置先方のコーナー空間部へ向けて横行移動し、その際、キャンバス頂部１のアウターローラ４２は、インナーローラ４１に沿って横行スライドする。これにより、出隅キャンバスＧ１は、図２８（Ｃ）〜（Ａ）や図３０（Ｃ）〜（Ａ）に示すように前進移動し、そのキャンバス張出部Ｘ２が出隅部Ｎ１のコーナー空間部へ向けて押し出される。
その際、装置先方のＶ字アームＶ１の前部リンク２５２は、図３１（Ｂ）の交差角度β２から徐々に先方へ引き出されることで、図３１（Ａ）の交差角度β１の緩やかな傾斜勾配に変化し、また、後部リンク２５１との二つ折れ角度θ２が「９０度弱」程度の状態から、その二つ折れ角度が徐々に広げられ、図３１（Ａ）に示す二つ折れ角度が「１３０度」程度に後部リンク２５１が立ち上げられた段階で、それ以上の揺動回転が制止される。
【００６２】
他方、装置後方のＶ字アームＶ２の前部リンク２５２は、図３１（Ｂ）の交差角度α２から徐々に先方へ引き出されることで、図３１（Ａ）の交差角度α１の急な傾斜勾配に変化し、また、後部リンク２５１との二つ折れ角度θ２が「９０度弱」程度の状態から、その二つ折れ角度が徐々に広げられ、図３１（Ａ）に示す二つ折れ角度が「１３０度」程度になった段階で、それ以上の揺動回転が制止される。
これにより、出隅部Ｎ１のコーナー空間部へ張り出した出隅キャンバスＧ１とそのフロントバーＦ１は、Ｖ字アームＶ１，Ｖ２の二つ折れ角度が、「θ２からθ１」に押し広げながら姿勢変化しながら押し広げられ、交差角度α１の段階でＶ字アームＶ１，Ｖ２のそれ以上の回転が規制されることで、安定した張り出し状態が形成される。
【００６３】
従って、２体のオーニング装置Ｓ２ａを、図２１（Ａ）、（Ｂ）に示すように、出隅部Ｎ１の正面壁Ｗ１のコーナー位置と、側面壁Ｗ２のコーナー位置に直交状（鈍角状や鋭角状でも可）に突き合わせて取り付け、それぞれの巻取りローラＪ３，Ｊ４に巻き取られた出隅キャンバスＧ１を巻き戻して展開した上で、当該キャンバスＧ１の展開状態を維持したままコーナー空間部へ向けて横行移動すれば、２体の出隅キャンバスＧ１が出隅部Ｎ１のコーナー空間部で向かい合わされて張り出され、建築物のコーナー空間部が体裁良く覆われる。
【折畳みアームの組み合わせと、その移動軌跡】
【００６４】
第２の実施形態の場合におけるＶ字アームＶ１，Ｖ２の組み合わせと、それらの移動軌跡は、第1の実施形態の場合と同様である。
先ず、図２８〜図３１に示すオーニング装置Ｓ２ａの場合には、装置先方のＶ字アームＶ１が、後方へ向かって二つ折れされ、装置後方のＶ字アームＶ２が、前記Ｖ字アームＶ１とは反対の先方へ向かって二つ折れされるようにリンク構成している。
そこで、図３１（Ａ）に示すように、コーナー空間部まで張り出した出隅キャンバスＧ１のフロントバーＦ１を、装置後方へ横行操作すると、図３１（Ｂ）の想像線に示すように、Ｖ字アームＶ１は装置後方へ向けて二つ折れされ、また、Ｖ字アームＶ２は、それとは逆に装置先方へ向けて二つ折りされ、図３１（Ｂ）の実線位置までフロントバーＦ１が押し下げられる。その上で、巻取りローラＪ３，Ｊ４による出隅キャンバスＧ１の巻き上げ作動がなされ、図３２（Ｃ）の想像線に示すように、フロントバーＦ１を壁際部分へ向けて直線的に平行移動することで収納がなされる。
その際における各部の作動状態や交差角度α１，α２、β１，β２や二つ折れ角度θ１，θ２の数値等は、図１３（Ａ）〜（Ｃ）の場合と同様であるので、その説明を省略する。
【００６５】
また、図３２（Ａ）〜（Ｃ）に示すオーニング装置Ｓ２ｂの場合は、先後に間隔を隔てた２体のＶ字アームＶ１を、図３１（Ａ）〜（Ｃ）に示すＶ字アームＶ１の場合と同様に、装置後方へ平行に二つ折れするようにリンク構成している。
そこで、図３２（Ａ）に示す出隅キャンバスＧ１のフロントバーＦ１を、装置後方へ横行操作すると、図３２（Ｂ）の想像線に示すように、先後２体のＶ字アームＶ１が装置後方へ平行に二つ折れされ、図３２（Ｂ）の実線位置までフロントバーＦ１を押し下げる。
そこで、巻取りローラＪ３，Ｊ４による出隅キャンバスＧ１の巻き上げ作動がなされ、図３２（Ｃ）の想像線に示すように、フロントバーＦ１を壁際部分へ向けて直線的に平行移動する。
【００６６】
また、図３３（Ａ）〜（Ｃ）に示すオーニング装置Ｓ２ｃの場合は、先後に間隔を隔てた２体のＶ字アームＶ２を、図３２（Ａ）〜（Ｃ）の場合とは反対に、共に装置前方へ平行に二つ折れするようにリンク構成している。
そこで、図３３（Ａ）に示す出隅キャンバスＧ１のフロントバーＦ１を、装置後方へ横行操作すると、図３３（Ｂ）の想像線に示すように、先後２体のＶ字アームＶ２が、装置前方へ平行に二つ折れされ、図３３（Ｂ）の実線位置までフロントバーＦ１を押し下げる。
そこで、巻取りローラＪ３，Ｊ４による出隅キャンバスＧ１の巻き上げ作動がなされ、図３３（Ｃ）の想像線に示すように、フロントバーＦ１を壁際部分へ向けて直線的に平行移動する。
【００６７】
従って、前記した図３１（Ａ）、（Ｂ）〜図３３（Ａ）、（Ｂ）の場合には、いずれも交差角度α１を「７５度」程度、二つ折れ角度θ１を「１３０度」程度、交差角度β１を「２５度程度」に設定した場合で図示しているが、それらの各角度の内、α１を「８０〜６０度」程度、θ１を「１２０〜１５０度」程度、β１を「２０〜３５度」程度のいずれか範囲内に設定することが望ましい。
極端な場合には、後部リンク２５１と前部リンク２５２のなす二つ折れ角度θ１を「１８０度」未満とし、その際の交差角度α１とβ１を「５０±１０度」程度に設定することもできる。
【００６８】
また、図３４（Ａ）〜（Ｃ）に示すオーニング装置Ｓ２ｄの場合は、先後に間隔を隔てた２体のＶ字アームＶ１を、図３４（Ａ）の段階でほぼ逆Ｌ字状に折れ曲げ、前部リンク２５２をフロントバーＦ１に密着して平行に重ね合わせ、後部リンク２５１を平面視してほぼ鉛直にすることで、その二つ折れ角度を「９０度弱」とし、図３４（Ｂ）に示すように、共に装置後方へ平行に二つ折れするようにリンク構成している。
そこで、図３４（Ａ）に示す出隅キャンバスＧ１のフロントバーＦ１を、装置後方へ横行操作すると、図３４（Ｂ）の想像線に示すように、先後２体のＶ字アームＶ１が装置後方へ二つ折れされ、図３４（Ｂ）の実線位置までフロントバーＦ１を押し下げる。
次いで、巻取りローラＪ３，Ｊ４による出隅キャンバスＧ１の巻き上げ作動がなされ、図３４（Ｃ）の想像線に示すように、フロントバーＦ１を壁際部分へ向けて直線的に平行移動することで、コンパクトな収納がなされる。
従って、図３４（Ａ）、（Ｂ）に示す場合は、図３２（Ａ）に示す交差角度α１を「９０度強」とし、二つ折れ角度θ１を「９０度弱」とし、交差角度β１を「０度」とした場合に相当する。
【従来の可動オーニング装置との組み合わせ】
【００６９】
前記した第２の実施形態に示すオーニング装置Ｓ２ａ〜Ｓ２ｄの後半部位には、図３５（Ａ）〜（Ｃ）に示すように、矩形キャンバスＰ１を展開したり、巻き取る従来の可動オーニング装置Ｑを組み合わせることができる。
その構成は、図１７（Ａ）〜（Ｃ）に示す第１の実施形態の場合と同様であるので、同一の符号を付して、その説明を省略する。
【嵩上げシート】
【００７０】
図３６（Ａ）〜（Ｃ）は、アウターローラ４２を備えた巻取りローラＪ３，Ｊ４に、出隅キャンバスＧ１のキャンバス張出部Ｘ２を均等に巻き上げる場合を示している。
その構成は、図２０（Ａ）〜（Ｃ）の場合とほぼ同様であるので、その説明を省略する。
【巻取りローラの第５例】
【００７１】
前記した第３例と第４例の巻取りローラＪ３，Ｊ４の場合には、インナーローラ４１にアウターローラ４２を摺動案内自在に構成したが、図３７（Ａ）〜（Ｃ）と図３８では、両者の関係を転動構造とする第５例の巻取りローラＪ５を示している。
同図において、４２２はアウターローラ４２ａの内面を三等分した位置に形成した車輪ユニットＤの嵌合溝である。当該ユニットＤは、矩形の座板８０と凸状のカバー板８１の間に車輪７９を挟み込み、軸ピン８２により軸着してカシメ固定される。
そこで、図３８に示すように車輪ユニットＤの座板８０とカバー板８１の重合部分が、前記嵌合溝１２２に嵌め込まれる。
４１３はインナー回転軸４１ｂの案内突条４１２の間に形成した車輪案内溝であって、その両側位置にはレール縁４１４が段付き形成され、当該レール縁４１４の間に、前記車輪ユニットＤから露出した車輪７９が転動案内自在に嵌め込まれる。
４０ａはアウターローラ４２ａのエンドキャップであって、その内側には、インナーローラ４１ｂの案内溝４１１との案内突起４０１、案内突条４１２との案内溝４０２、前記車輪案内溝４１３との案内突起４０３をそれぞれ形成している。
その他の構成は、巻取りローラＪ３，Ｊ４のいずれかとほぼ同様であるので、同一の符号を付してその説明を省略する。
従って、摺動構造の巻取りローラＪ３，Ｊ４を、前記した転動構造の巻取りローラＪ５に置換した場合には、アウターローラ４２ａの進退移動時における摺動抵抗を減らし、その円滑性を一段と高めることができる。
【巻取りローラの第６例】
【００７２】
前記した第１の実施形態の場合には、出隅キャンバスＧ１の巻取りローラＪ１，Ｊ２に、軸線方向へ横行スライドするスライダー１２を組み込んだ、言わば、インナースライダー構造の巻取りローラＪ１，Ｊ２を備えた場合について説明したが、それと同様な機能を備えながら構成を簡素化した第６例の巻取りローラＪ６の主要部を、図３９（Ａ）、（Ｂ）と図４０に基づいて説明する。
図３９（Ａ）、（Ｂ）において、１１４は断面Ω状に凹設したスライド案内通路であって、巻取りローラＪ６のローラ本体１１ｂの内部に軸線方向へ形成している。１１５はΩ字状の断面形態を呈する薄い肉厚のカバーキャップであって、スライド案内溝１１１の開口縁部から前記案内通路１１４の内壁面に嵌め込まれる。
１２ｂは出隅キャンバスＧ１の頂部１に嵌め込むスライドキャップであって、スライド案内溝１１１に嵌め込まれたカバーキャップ１１５の内部に遊嵌状態に嵌め込まれる。
そこで、出隅キャンバスＧ１の頂部１にスライドキャップ１２ｂを嵌め込み、前記キャンバス頂部１に取付ワイヤ１８３を挿通して抜け止めし、スライド案内通路１１４に事前に嵌め込まれたカバーキャップ１１５の内部に遊嵌状態に嵌め込まれる。
前記の場合、カバーキャップ１１５は、キャンバス頂部１に嵌め込んだスライドキャップ１２ｂの横行スライド時における摺動抵抗を軽減し、また、スライド案内通路１１４とスライドキャップ１２ｂとの直接接触を防止することで滑り易くしている。
【産業上の利用可能性】
【００７３】
本発明は、前記のような可動オーニングとしたので、各種建築物の出隅部のコーナー空間部を含む建物外回りの体裁性を飛躍的に高め、可動オーニング装置としての技術的な興趣や有用性に富む、画期的で斬新な製品を当業界へ提供する。
【図面の簡単な説明】
【００７４】
図１〜図２０は、可動オーニング装置の第1の実施形態と、その関連構成を示す図である。
図中、キャンバスは、通常、不透質であり、隠れて見えない裏側の構成を見せるため、必要に応じてキャンバスを透視状態で示している。同様に、ケーシング内部に組み込んだ巻取りローラについても、必要に応じてケーシングを透視して図示している。
尚、多くの図面では、オーニング装置をＬ字状、帯板状等の枠体に、ほぼ水平状態に取り付けているように立体的に図示しているが、それは図面を描出する上での便宜に基づくことである。通常、展開した出隅キャンバスや矩形キャンバス等が、適宜の前傾状態となるように固定的に、或いは、角度可変自在に取り付けられる。
【図1】  図（Ａ）、（Ｂ）は、出隅部の一方と他方に向かい合せたオーニング装置を、そのコーナー空間部を含む建物外回りに展開した状態を示す斜視図であって、その内、図（Ｂ）には、向かい合わせたオーニング装置Ｓ１ａの透視状態を示している。
【図２】  図（Ａ）、（Ｂ）は、オーニング装置Ｓ１ａを示す斜視図であって、その内、図（Ｂ）には、出隅キャンバスを透視した状態を示している。
【図３】  図（Ａ）、（Ｂ）は、オーニング装置Ｓ１ａの要部を示す縦断側面図であって、その内、図（Ｂ）には、巻取りローラの手動装置を示している。
【図４】  図（Ａ）、（Ｂ）は、オーニング装置Ｓ１ａの要部を示す縦断斜視図であって、その内、図（Ｂ）の上部位置には、スライダーと、出隅キャンバスの後方部と、当該キャンバスを緊張支持する連結ワイヤ等の分解状態を示し、また、下部位置にはフロントバーと折畳みアームの前端ブラケットの分解状態を示している。
【図５】  オーニング装置Ｓ１ａの横断平面図である。
【図６】  図（Ａ）〜（Ｃ）は、手動装置を組み込んだキャンバス巻取り装置の主要部を示す斜視図であって、その内、図（Ｂ）には、ケーシング、ローラ本体、スライダー、手動装置等の構成部材を分解して示している。図（Ｃ）には、ローラ本体とスライダーの要部を一部拡大し、連結ワイヤの基端部を挟み込んで固定するビスを示している。
【図７】  図（Ａ）〜（Ｃ）は、出隅キャンバスと、そのワイヤ類を示す分解斜視図であって、その内、図（Ｃ）の左右位置には、連結ワイヤの両端部を部分拡大している。
【図８】  図（Ａ）、（Ｂ）は、出隅キャンバスの平面図と、ワイヤ類を挿通したＸ−Ｘ線拡大断面図である。
【図９】  図（Ａ）、（Ｂ）は、電動モータを組み込んだキャンバス巻取り装置の主要部を示す斜視図であって、その内、図（Ｂ）には、ケーシング、電動モータ、ローラ本体、スライダー等の構成部材を分解して示している。
【図１０】  図（Ａ）〜（Ｃ）は、コーナー空間部を含む建物外回りに張り出した出隅キャンバスと、その後退過程と巻き取り過程の前半を示す斜視図である。
【図１１】  図（Ｄ）、（Ｅ）は、図１０（Ａ）〜（Ｃ）に続く、出隅キャンバスの巻き取り過程の後半を示す斜視図である。
【図１２】  図（Ａ）〜（Ｅ）は、コーナー空間部を含む建物外回りに張り出した出隅キャンバスと、その後退過程と巻き取り過程を示す平面図であって、その逆順序が出隅キャンバスの巻き戻し展開過程と、コーナー空間部を含む建物外回りへの前進過程を示している。
【図１３】  図（Ａ）〜（Ｃ）は、出隅キャンバスのフロントバーと折畳みアームの移動軌跡を示す平面図であって、その内、図（Ｂ）には、装置先方に張り出した出隅キャンバスの装置後方への後退過程と、フロントバーの後退に伴って姿勢変化する折畳みアームを段階的に示し、図（Ｃ）には、キャンバス巻き取り時の両者の姿勢変化を段階的に示している。尚、図（Ａ）、（Ｂ）の上下位置には、折畳みアームのブラケットと、前後部のリンク端部のストッパーとの関係を部分拡大して示している。
【図１４】  図（Ａ）〜（Ｃ）は、先後２体の折畳みアームが、装置後方へ向かって平行に二つ折れする場合のオーニング装置Ｓ１ｂの移動軌跡を示す平面図であって、その逆順序が出隅キャンバスの巻き戻し展開過程と、コーナー空間部への前進過程を示している。
【図１５】  図（Ａ）〜（Ｃ）は、先後２体の折畳みアームが、図１４の場合と反対の装置先方へ平行に二つ折れする場合のオーニング装置Ｓ１ｃの移動軌跡を示す平面図である。
【図１６】  図（Ａ）〜（Ｃ）は、先後２体の折畳みアームを、平面視してＬ字状に折り曲げることでコーナー空間部へ押し出したオーニング装置Ｓ１ｄの移動軌跡を示す平面図である。
【図１７】  図（Ａ）〜（Ｃ）は、出隅部の一方と他方に向かい合わせた２体のオーニング装置Ｓ１ａを、コーナー空間部を含む建物外回りに張り出し、それぞれの後方位置に隣接して組み合わせた可動オーニング装置の矩形キャンバスを、前方へ展開した状態を示す斜視図である。
【図１８】  図（Ａ）、（Ｂ）は、嵩上げリングを嵌め込んだ巻取りローラを示す斜視図と、その縦断面図である。
【図１９】  図（Ａ）〜（Ｃ）は、後退した出隅キャンバスの巻き取り過程を示す斜視図である。
【図２０】  図（Ａ）〜（Ｃ）は、嵩上げ生地を縫着した出隅キャンバスと、それを巻取りローラに巻き付ける状態と、巻き付け途中の断面状態を示している。
【００７５】
図２１〜図３８は、可動オーニング装置の第２の実施形態と、その関連構成を示す図である。
【図２１】  図（Ａ）、（Ｂ）は、出隅部の一方と他方に向かい合せたオーニング装置を、そのコーナー空間部を含む建物外回りに展開した状態を示す斜視図であって、その内、図（Ｂ）には、向かい合わせたオーニング装置Ｓ２ａの透視状態を示している。
【図２２】  図（Ａ）、（Ｂ）は、オーニング装置Ｓ２ａを示す斜視図であって、その内、図（Ｂ）には、出隅キャンバスを透視した状態を示している。
【図２３】  図（Ａ）、（Ｂ）は、オーニング装置Ｓ２ａの要部を示す縦断側面図であって、その内、図（Ｂ）には、巻取りローラの手動装置を示している。
【図２４】  図（Ａ）、（Ｂ）は、オーニング装置Ｓ２ａの要部を示す縦断斜視図であって、その内、図（Ｂ）の上部位置には、アウターローラと、出隅キャンバスの後方部と、当該キャンバスを緊張支持する連結ワイヤを示し、また、下部位置にはフロントバーと折畳みアームの前端ブラケットとの分解状態を示している。
【図２５】  オーニング装置Ｓ２ａの横断平面図である。
【図２６】  図（Ａ）、（Ｂ）は、手動装置を組み込んだキャンバス巻取り装置の主要部を分解した状態を示す斜視図であって、その内、図（Ａ）には、ケーシング、インナーローラ、アウターローラ、手動装置等の構成部材を示し、また、図（Ｂ）には、アウターローラの要部を一部拡大し、連結ワイヤの基端部を挟み込んで固定するビスを示している。
【図２７】  図（Ａ）、（Ｂ）は、電動モータを組み込んだキャンバス巻取り装置の主要部を示す斜視図であって、その内、図（Ｂ）には、ケーシング、電動モータ、インナーローラ、アウターローラ等の各構成部材を示している。
【図２８】  図（Ａ）〜（Ｃ）は、コーナー空間部を含む建物外回りに張り出した出隅キャンバスと、その後退過程と巻き取り過程の前半を示す斜視図である。
【図２９】  図（Ｄ）、（Ｅ）は、図２８（Ａ）〜（Ｃ）に続く、出隅キャンバスの後半の巻き取り過程を示す斜視図である。
【図３０】  図（Ａ）〜（Ｅ）は、コーナー空間部を含む建物外回りに張り出した出隅キャンバスと、その後退過程と巻き取り過程を示す平面図であって、その逆順序が出隅キャンバスの巻き戻し展開過程と、コーナー空間部を含む建物外回りへの前進過程を示している。
【図３１】  図（Ａ）〜（Ｃ）は、出隅キャンバスのフロントバーと折畳みアームの移動軌跡を示す平面図であって、その内、図（Ｂ）には、装置先方に張り出した出隅キャンバスの後退過程と、フロントバーの後退に伴って姿勢変化する折畳みアームを、また、図（Ｃ）には、キャンバス巻き取り時の両者の姿勢変化をそれぞれ段階的に示している。
尚、図（Ａ）、（Ｂ）の上下位置には、折畳みアームのブラケットと、前後部のリンク端部のストッパーとの関係を部分拡大して示している。
【図３２】  図（Ａ）〜（Ｃ）は、先後２体の折畳みアームが、装置後方へ向かって平行に二つ折れする場合のオーニング装置Ｓ２ｂの移動軌跡を示す平面図であって、その逆順序が出隅キャンバスの巻き戻し展開過程と、コーナー空間部への前進過程を示している。
【図３３】  図（Ａ）〜（Ｃ）は、先後２体の折畳みアームが、図３２の場合と反対の装置先方へ平行に二つ折れする場合のオーニング装置Ｓ２ｃの移動軌跡を示す平面図である。
【図３４】  図（Ａ）〜（Ｃ）は、先後２体の折畳みアームを、平面視してＬ字状に折り曲げることで、コーナー空間部へ押し出したオーニング装置Ｓ２ｄの移動軌跡を示す平面図である。
【図３５】  図（Ａ）〜（Ｃ）は、出隅部の一方と他方に２体のオーニング装置Ｓ２ａを直交状に向かい合わせて展開した上で、コーナー空間部を含む建物外回りに張り出し、それぞれの後方位置に隣接して組み合わせた可動オーニング装置の矩形キャンバスを前方へ展開した状態を示す斜視図である。
【図３６】  図（Ａ）〜（Ｃ）は、嵩上げ生地を縫着した出隅キャンバスと、それを巻取りローラに巻き付ける状態と、巻き付け途中の断面状態を示している。
【図３７】  図（Ａ）〜（Ｃ）は、アウターローラを転動自在とする巻取りローラを示す斜視図であって、その内、図（Ａ）は巻取りローラの要部斜視図、図（Ｂ）は要部分解図、図（Ｃ）は転動ローラの取り付け構造を示す分解図である。
【図３８】  巻取りローラの要部縦断側面図である。
【図３９】  図（Ａ）、（Ｂ）は、第１の実施形態の巻取りローラに組み込んだスライダーを、スライドキャップに置換する場合の巻取りローラを示す分解図である。
【図４０】  出隅キャンバスの頂部に嵌め込んだスライドキャップを、ローラ本体のスライド案内通路に遊嵌状態に嵌挿した要部拡大断面図である。
【符号の説明】
【００７６】
Ｓ１ａ〜Ｓ１ｄ，Ｓ２ａ〜Ｓ２ｄ  オーニング装置
Ｊ１〜Ｊ６  巻取りローラ Ｇ１  出隅キャンバス
Ｐ１  矩形キャンバス Ｆ１  フロントバー
Ｎ１  出隅部 Ｖ１〜Ｖ４  折畳みアーム（Ｖ字アーム）
Ｑ    オーニング装置 Ｄ  車輪ユニット
Ｘ１  キャンバス本体部 Ｘ２  キャンバス張出部
Ｋ１、Ｋ２  ケーシング Ｍ１  電動モータ
１  頂辺（キャンバス頂部） ２，６  裾辺（キャンバス裾部）
３  斜辺（キャンバス斜部） １１  ローラ本体
１１３  レール溝 １１２、１１４  スライド案内通路
１２  スライダー １２ｂ  スライドキャップ
１２１  キャンバス嵌合溝 １２２  スリット溝
１２３  翼板部 １２４  小車輪
１４１，１４２，１４６、１５１，１５２，１５６、４７１，４７２  エンドキャップ
１９３，１９４  ワイヤ                  ２０１，２０２  ストッパー
２４１  横行操作用掛止部
２５１  後部リンク ２５２  前部リンク
２７１  モータ出力軸 ２７２  固定用軸部
３０  巻取りローラ ３１  フロントバー
３２  嵩上げシート ３３１  嵩上げリング
４１，４１ｂ  インナーローラ ４１１，４７４  案内溝
４１２  案内突条 ４１３  車輪案内溝
４２，４２ａ  アウターローラ ４２２  嵌合溝
４７３  案内突起 ７９  車輪
【図１】
0004769957.tif 000002
【図２】
0004769957.tif 000003
【図３】
0004769957.tif 000004
【図４】
0004769957.tif 000005
【図５】
0004769957.tif 000006
【図６】
0004769957.tif 000007
【図７】
0004769957.tif 000008
【図８】
0004769957.tif 000009
【図９】
0004769957.tif 000010
【図１０】
0004769957.tif 000011
【図１１】
0004769957.tif 000012
【図１２】
0004769957.tif 000013
【図１３】
0004769957.tif 000014
【図１４】
0004769957.tif 000015
【図１５】
0004769957.tif 000016
【図１６】
0004769957.tif 000017
【図１７】
0004769957.tif 000018
【図１８】
0004769957.tif 000019
【図１９】
0004769957.tif 000020
【図２０】
0004769957.tif 000021
【図２１】
0004769957.tif 000022
【図２２】
0004769957.tif 000023
【図２３】
0004769957.tif 000024
【図２４】
0004769957.tif 000025
【図２５】
0004769957.tif 000026
【図２６】
0004769957.tif 000027
【図２７】
0004769957.tif 000028
【図２８】
0004769957.tif 000029
【図２９】
0004769957.tif 000030
【図３０】
0004769957.tif 000031
【図３１】
0004769957.tif 000032
【図３２】
0004769957.tif 000033
【図３３】
0004769957.tif 000034
【図３４】
0004769957.tif 000035
【図３５】
0004769957.tif 000036
【図３６】
0004769957.tif 000037
【図３７】
0004769957.tif 000038
【図３８】
0004769957.tif 000039
【図３９】
0004769957.tif 000040
【図４０】
0004769957.tif 000041